(57)【要約】【課題】  本発明は、所望のダウンロードデータ及び録音データを容易に選択させる。【解決手段】  本発明は、予め設定された設定情報に応じて、音楽データ配信サーバＳＶ１から取得されたダウンロードデータを第１の並びの順番で表示し、当該設定情報に応じて、ラジオ局及びＣＤから取得された録音データを第２の並びの順番で表示することにより、ダウンロードデータ及び録音データをそれぞれ一括表示し難い場合でも、当該ダウンロードデータ及び録音データの種別に応じて選択される可能性の高いダウンロードデータ及び録音データをスクロール表示に移行する前段階で提示でき、かくして所望のダウンロードデータ及び録音データを容易に選択させることができる。【選択図】        図２０
2006221257.tif 000002
【特許請求の範囲】
【請求項１】
予め設定された設定情報に応じて、第１の提供元から取得された第１のコンテンツデータを第１の並びの順番で表示する第１の表示ステップと、
上記設定情報に応じて、第２の提供元から取得された第２のコンテンツデータを第２の並びの順番で表示する第２の表示ステップと
を具えることを特徴とする表示方法。
【請求項２】
記録媒体に対し、上記第１の提供元から取得された上記第１のコンテンツデータを上記第１の並びの順番で記録する第１の記録ステップと、
上記記録媒体に対し、上記第２の提供元から取得された上記第２のコンテンツデータを上記第２の並びの順番で記録する第２の記録ステップと
を具え、
上記第１の表示ステップは、
上記第１のコンテンツデータを、上記記録媒体に記録された上記第１の並びの順番で表示し、
上記第２の表示ステップは、
上記第２のコンテンツデータを、上記記録媒体に記録された上記第２の並びの順番で表示する
ことを特徴とする請求項１に記載の表示方法。
【請求項３】
記録媒体に対し、上記第１の提供元から取得された上記第１のコンテンツデータを上記第１の並びの順番で記録する第１の記録ステップと、
上記記録媒体に対し、上記第２の提供元から取得された上記第２のコンテンツデータを上記第１の並びの順番で記録する第２の記録ステップと
を具え、
上記第１の表示ステップは、
上記第１のコンテンツデータを、上記記録媒体に記録された上記第１の並びの順番で表示し、
上記第２の表示ステップは、
上記第２のコンテンツデータを、上記記録媒体に記録された上記第１の並びの順番を上記第２の並びの順番に並び替えて表示する
ことを特徴とする請求項１に記載の表示方法。
【請求項４】
記録媒体に対し、上記第１の提供元から取得された上記第１のコンテンツデータを上記第２の並びの順番で記録する第１の記録ステップと、
上記記録媒体に対し、上記第２の提供元から取得された上記第２のコンテンツデータを上記第２の並びの順番で記録する第２の記録ステップと
を具え、
上記第１の表示ステップは、
上記第１のコンテンツデータを、上記記録媒体に記録された上記第２の並びの順番を上記第１の並びの順番に並び替えて表示し、
上記第２の表示ステップは、
上記第２のコンテンツデータを、上記記録媒体に記録された上記第２の並びの順番で表示する
ことを特徴とする請求項１に記載の表示方法。
【請求項５】
上記第１の提供元としてのサーバ装置から上記第１のコンテンツデータとして取得されたダウンロードコンテンツデータを記録媒体に記録する第１のデータ記録ステップと、
上記第２の提供元としての放送局から上記第２のコンテンツデータとして取得された放送コンテンツデータを上記記録媒体に記録する第２の記録ステップと
を具え、
上記第１の表示ステップは、
上記第１の並びの順番として、上記記録媒体に記録された上記ダウンロードコンテンツデータのうち、最も新しく記録された当該ダウンロードコンテンツデータをリスト一端に位置させるようにした上記ダウンロードコンテンツデータの第１のリストを表示し、
上記第２の表示ステップは、
上記第２の並びの順番として、上記記録媒体に記録された上記放送コンテンツデータのうち、最も新しく記録された当該放送コンテンツデータをリスト他端に位置させるようにした上記放送コンテンツデータの第２のリストを表示する
ことを特徴とする請求項１に記載の表示方法。
【請求項６】
上記第１の表示ステップは、
上記第１の提供元から取得された上記第１のコンテンツデータの一部である当該第１のコンテンツデータの名称を上記第１の並びの順番で表示し、
上記第２の表示ステップは、
上記第２の提供元から取得された上記第２のコンテンツデータの一部である当該第２のコンテンツデータの名称を上記第２の並びの順番で表示する
ことを特徴とする請求項１に記載の表示方法。
【請求項７】
予め設定された設定情報に応じて、第１の提供元から取得された第１のコンテンツデータを第１の並びの順番で表示し、上記設定情報に応じて、第２の提供元から取得された第２のコンテンツデータを第２の並びの順番で表示する表示手段
を具えることを特徴とする表示装置。
【請求項８】
情報処理装置に対して、
予め設定された設定情報に応じて、第１の提供元から取得された第１のコンテンツデータを第１の並びの順番で表示する第１の表示ステップと、
上記設定情報に応じて、第２の提供元から取得された第２のコンテンツデータを第２の並びの順番で表示する第２の表示ステップと
を実行させるための表示プログラム。
【発明の詳細な説明】
【技術分野】
【０００１】
本発明は表示方法に関し、例えばネットワーク上で提供されている音楽データや、ＣＤ（Compact Disc）に記録されている音楽データ等を取り込んで記録するデータ記録再生装置（以下、これをクライアント端末と呼ぶ）で、当該記録した音楽データの名称を表示する場合に適用して好適なものである。
【背景技術】
【０００２】
従来のパーソナルコンピュータは、ネットワーク上のＥＭＤ（Electrical Music Distribution ）サーバから音楽データをダウンロードし、かかる音楽データの圧縮符号化方式を所定の圧縮符号化方式に変換した後、所定の暗号化方式で暗号化してハードディスクに記録している。またパーソナルコンピュータは、ＣＤから音楽データを読み出し、かかる音楽データの圧縮符号化方式を所定の圧縮符号化方式に変換した後、所定の暗号化方式で暗号化してハードディスクに記録している（例えば、特許文献１参照）。
【特許文献１】特開２００１−１７５６２４公報（第３頁、図１、図２）
【発明の開示】
【発明が解決しようとする課題】
【０００３】
ところでかかる構成のパーソナルコンピュータは、ＥＭＤサーバやＣＤから音楽データを取得した際、当該音楽データの名称も取得し、かかる名称のリスト（以下、これを提示リストと呼ぶ）を作成して保持している。そしてパーソナルコンピュータは、ユーザにより音楽データの再生が要求されたとき、提示リストに登録している名称が比較的少ないと、かかる提示リスト全体を一括表示する。またパーソナルコンピュータは、提示リストに登録している名称が比較的多いと、ユーザによるスクロール表示用の操作（以下、これをスクロール操作と呼ぶ）に応じてかかる提示リストをその最上部側から最下部側に順次スクロール表示する。これによりパーソナルコンピュータは、ユーザに提示した提示リスト内の名称で再生対象の音楽データを選択させていた。
【０００４】
ところがパーソナルコンピュータでは、新たな音楽データを記録する毎に提示リストの最下部に当該新たな音楽データの名称を追加してリスト内容を更新している。このためパーソナルコンピュータでは、新たに音楽データを記録しても、提示リストに登録している名称が比較的多いと、ユーザのスクロール操作に応じて提示リストを最上部側から最下部側に順次スクロール表示しなければ、当該新たな音楽データを再生対象として選択させることができないという問題があった。
【０００５】
本発明は以上の点を考慮してなされたもので、所望のコンテンツデータを容易に選択させ得る表示方法を提案しようとするものである。
【課題を解決するための手段】
【０００６】
かかる課題を解決するため本発明においては、表示方法において、予め設定された設定情報に応じて、第１の提供元から取得された第１のコンテンツデータを第１の並びの順番で表示する第１の表示ステップと、設定情報に応じて、第２の提供元から取得された第２のコンテンツデータを第２の並びの順番で表示する第２の表示ステップとを設けるようにした。
【０００７】
従って本発明の表示方法では、第１及び第２のコンテンツデータをそれぞれ一括表示し難い場合でも、当該第１及び第２のコンテンツデータの種別に応じて選択される可能性の高い第１及び第２のコンテンツデータを、スクロール表示に移行する前段階で提示することができる。
【０００８】
また本発明においては、表示装置において、予め設定された設定情報に応じて、第１の提供元から取得された第１のコンテンツデータを第１の並びの順番で表示し、設定情報に応じて、第２の提供元から取得された第２のコンテンツデータを第２の並びの順番で表示する表示手段を設けるようにした。
【０００９】
従って本発明の表示装置では、第１及び第２のコンテンツデータをそれぞれ一括表示し難い場合でも、当該第１及び第２のコンテンツデータの種別に応じて選択される可能性の高い第１及び第２のコンテンツデータを、スクロール表示に移行する前段階で提示することができる。
【００１０】
さらに本発明においては、表示プログラムにより情報処理装置に対し、予め設定された設定情報に応じて、第１の提供元から取得された第１のコンテンツデータを第１の並びの順番で表示する第１の表示ステップと、設定情報に応じて、第２の提供元から取得された第２のコンテンツデータを第２の並びの順番で表示する第２の表示ステップとを実行させるようにした。
【００１１】
従って本発明の表示プログラムでは、情報処理装置に対し、第１及び第２のコンテンツデータをそれぞれ一括表示させ難い場合でも、当該第１及び第２のコンテンツデータの種別に応じて選択される可能性の高い第１及び第２のコンテンツデータを、スクロール表示に移行する前段階で提示させることができる。
【発明の効果】
【００１２】
本発明によれば、予め設定された設定情報に応じて、第１の提供元から取得された第１のコンテンツデータを第１の並びの順番で表示し、当該設定情報に応じて、第２の提供元から取得された第２のコンテンツデータを第２の並びの順番で表示するようにしたことにより、第１及び第２のコンテンツデータをそれぞれ一括表示し難い場合でも、当該第１及び第２のコンテンツデータの種別に応じて選択される可能性の高い第１及び第２のコンテンツデータをスクロール表示に移行する前段階で提示することができ、かくして所望のコンテンツデータを容易に選択させ得る表示方法、表示装置及び表示プログラムを実現することができる。
【発明を実施するための最良の形態】
【００１３】
以下図面について、本発明の一実施の形態を詳述する。
【００１４】
〔１〕第１の実施の形態
（１）音楽関連サービス提供システム
（１−１）システム構成
図１において、１は全体として音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ６とを有している。
【００１５】
この実施の形態の場合、音楽データ配信サーバＳＶ１は、ＡＴＲＡＣ３（Adaptive Transform Acoustic Coding 3）、ＡＡＣ（Advanced Audio Coding ）、ＷＭＡ（Windows(登録商標) Media Audio ）、ＲｅａｌＡＵＤＩＯ  Ｇ２  Ｍｕｓｉｃ  Ｃｏｄｅｃ、ＭＰ３（MPEG Audio Layer-3）形式等でなる音楽データをクライアント端末２に配信する音楽データ配信サービスを提供する。また物販サーバＳＶ２は、ＣＤ（Compact Disc）やＤＶＤ（Digital Versatile Disc）等をクライアント端末２を介してユーザに販売する物販サービスを提供する。さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
【００１６】
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。さらにディスク情報提供サーバＳＶ５は、個々のＣＤに関する、当該ＣＤに記録されている楽曲の曲名や演奏時間、アーティスト名等でなるディスク情報をＣＤデータベースに登録しておいてクライアント端末２に提供するディスク情報提供サービスを提供する。これに加えて課金サーバＳＶ６は、ポータルサーバ３等からの要求に応じてユーザに対し様々な料金を課すための課金処理を実行するようになされている。
【００１７】
（１−２）クライアント端末２の構成
（１−２−１）クライアント端末２の機能回路ブロック構成
次にクライアント端末２の機能回路ブロックによるハードウェア構成を説明する。図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。入力処理部２１は、操作入力部２０から与えられる操作入力信号を特定の操作コマンドに変換しバス２２を介して制御部２３に送出する。制御部２３は、バス２２を介して接続された各回路から与えられる操作コマンドや制御信号に基づいてこれら各回路の動作を制御する。
【００１８】
表示制御部２４は、バス２２を介して供給される映像データに対してディジタルアナログ変換処理を施し、その結果得られるアナログ映像信号を表示部２５に送出する。表示部２５は、例えば液晶ディスプレイ等の表示デバイスであって、筐体表面に直接取り付けられている場合や外付けされている場合がある。そして表示部２５は、制御部２３による処理結果や各種映像データが表示制御部２４を介してアナログ映像信号として供給されると、当該アナログ映像信号に基づく映像を表示する。
【００１９】
音声制御部２６は、バス２２を介して供給される音声データに対してディジタルアナログ変換処理を施し、その結果得られるアナログ音声信号をスピーカ２７に送出する。スピーカ２７は、音声制御部２６から供給されるアナログ音声信号に基づく音声を出力する。
【００２０】
外部記録媒体記録再生部２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。外部記録媒体記録再生部２８は、外部記録媒体からコンテンツデータとして映像データを読み出したとき、当該読み出した映像データをバス２２を介して表示制御部２４に供給する。これにより表示制御部２４は、外部記録媒体記録再生部２８により外部記録媒体からコンテンツデータとして読み出された映像データをアナログ映像信号に変換して表示部２５に供給する。
【００２１】
また外部記録媒体記録再生部２８は、外部記録媒体からコンテンツデータとして音声データを読み出したとき、当該読み出した音声データをバス２２を介して音声制御部２６に供給する。これにより音声制御部２６は、外部記録媒体記録再生部２８により外部記録媒体からコンテンツデータとして読み出された音声データをアナログ音声信号に変換してスピーカ２７に供給する。
【００２２】
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このように外部記録媒体に記録されていたコンテンツデータを記憶媒体２９に記憶することをリッピングと呼ぶ）ことができる。そして制御部２３は、記憶媒体２９からコンテンツデータとしてイメージデータ又はビデオデータ等の映像データを読み出したときには、当該読み出した映像データをバス２２を介して表示制御部２４に供給する。また制御部２３は、記憶媒体２９からコンテンツデータとしてオーディオデータ等の音声データを読み出したときには、当該読み出した音声データをバス２２を介して音声制御部２６に供給する。これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
【００２３】
放送信号受信部３０は、各ラジオ局から送信されるラジオ放送波を受信し、チューナ部３１に供給する。チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。また制御部２３は、チューナ部３１で得られた音声データを記憶媒体２９に送出して記憶することにより、ラジオ番組の番組音声を録音することもできる。
【００２４】
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ５にアクセスすることができる。これにより制御部２３は、ポータルサーバ３やその他サーバＳＶ１乃至ＳＶ５との間で各種情報や各種データを送受信する。
【００２５】
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。これによりエンコーダ／デコーダ部３４で圧縮符号化されたコンテンツデータは、制御部２３の制御のもと記憶媒体２９に記憶される。
【００２６】
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。著作権管理部３５で生成された著作権管理情報は、制御部２３の制御のもとにコンテンツデータと対応付けられて記憶媒体２９に登録される。また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
【００２７】
ページ情報生成部３６は、ネットワークＮＴからネットワークインタフェース３３及び通信制御部３２を順次介して受信されたＸＭＬ（eXtensible Markup Language）ファイル、あるいはＨＴＭＬ（Hyper Text Markup language）ファイル等のページ情報を解釈して表示部２５に表示するための映像データを生成し、当該生成した映像データを表示制御部２４に送出する。
【００２８】
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。認証情報記憶部３８は、認証処理部３７がポータルサーバ３やその他サーバＳＶ１乃至ＳＶ４に対しアクセスするときに必要となる認証情報を記憶する。
【００２９】
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
【００３０】
（１−２−２）ディレクトリ管理
クライアント端末２の制御部２３は、記憶媒体２９に対して記憶するコンテンツデータを、図３に示すディレクトリ構成で管理する。まず最上位の「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが例えば１つの楽曲すなわち音楽データとなるものである。このようなコンテンツデータについてのディレクトリ管理は、記憶媒体２９に記憶されているデータベースファイルによって行われる。
【００３１】
（１−３）ポータルサーバ３の機能回路ブロック構成
次に、図４を用いてポータルサーバ３の機能回路ブロックによるハードウェア構成を説明する。ポータルサーバ３内の制御部５０は、バス５１を介して接続される各回路の動作を制御する。通信制御部５２は、制御部５０の制御のもと、ネットワークインタフェース５３を介してクライアント端末２やその他サーバＳＶ１乃至ＳＶ６と各種情報を送受信する。顧客データベース部５４には、音楽関連サービス提供システム１の運営業者とすでに契約を完了しているユーザのユーザＩＤ（Identification）情報とパスワード情報とが対応付けられて顧客情報として登録されている。ページ情報記憶部５５には、音楽関連サービス提供システム１の運営業者が管理するページ情報等が記憶されている。なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Uniform Resource Locator）情報を含んでいる。
【００３２】
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
【００３３】
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
【００３４】
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
【００３５】
（１−４）音楽データ配信サーバＳＶ１の機能回路ブロック構成
次に、図５を用いて音楽データ配信サーバＳＶ１の機能回路ブロックによるハードウェア構成を説明する。音楽データ配信サーバＳＶ１内の制御部７０は、バス７１を介して接続される各回路の動作を制御する。通信制御部７２は、制御部７０の制御のもと、ネットワークインタフェース７３を介してクライアント端末２やポータルサーバ３等と各種情報や、コンテンツデータ等の各種データを送受信する。顧客データベース部７４には、音楽データ配信サーバＳＶ１の運営業者とすでに契約を完了しているユーザのユーザＩＤ情報とパスワード情報とが対応付けられて顧客情報として登録されている。ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
【００３６】
ページ情報記憶部７６には、音楽データ配信サーバＳＶ１が管理する、ダウンロード可能な音楽データを紹介する音楽データ配信用のページ情報等が記憶されている。因みに音楽データ配信用のページ情報は、ＸＭＬ等の言語によって記述されており、クライアント端末２を利用するユーザに対してダウンロードを希望する音楽データを選択させることができる。そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
【００３７】
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。このようにして認証処理部７５は、ユーザ認証処理が終了すると、そのユーザ認証処理の結果を示したサーバ認証結果情報（後述するサービスセッションＩＤ情報）を発行する。
【００３８】
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
【００３９】
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。そして検索部７９は、かかる検索キーに基づいて、音楽データ記憶部７８内の複数の音楽データの中から当該検索キーの示す検索条件に該当するダウンロード希望の音楽データを検索する。これにより制御部７０は、その検索されたダウンロード希望の音楽データを通信制御部７２及びネットワークインタフェース７３を順次介してクライアント端末２に送信する。また制御部７０は、このときクライアント端末２への音楽データのダウンロードに伴うユーザに対する課金処理用の課金情報を通信制御部７２及びネットワークインタフェース７３を順次介して課金サーバＳＶ６に送信することにより、課金サーバＳＶ６に対し当該ユーザに対する音楽データのダウンロードに応じた課金処理を実行させる。
【００４０】
（１−５）物販サーバＳＶ２の機能回路ブロック構成
次に、図６を用いて物販サーバＳＶ２の機能回路ブロックによるハードウェア構成を説明する。物販サーバＳＶ２内の制御部９０は、バス９１を介して接続される各回路の動作を制御する。通信制御部９２は、制御部９０の制御のもと、ネットワークインタフェース９３を介してクライアント端末２やポータルサーバ３等と各種情報を送受信する。顧客データベース部９４には、物販サーバＳＶ２の運営業者とすでに契約を完了しているユーザのユーザＩＤ情報とパスワード情報とが対応付けられて顧客情報として登録されている。ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
【００４１】
ページ情報記憶部９６には、物販サーバＳＶ２が管理する、販売対象のＣＤやＤＶＤ等のパッケージメディアを紹介するパッケージメディア販売用のページ情報等が記憶されている。因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
【００４２】
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。このようにして認証処理部９５は、ユーザ認証処理が終了すると、そのユーザ認証処理の結果を示したサーバ認証結果情報（後述するサービスセッションＩＤ情報）を発行する。
【００４３】
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
【００４４】
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
【００４５】
また制御部９０は、特定のパッケージメディアの購入に伴うユーザに対する課金処理用の課金情報を通信制御部９２及びネットワークインタフェース９３を順次介して課金サーバＳＶ６に送信することにより、課金サーバＳＶ６に対し当該ユーザに対する特定のパッケージメディアの購入に応じた課金処理を実行させる。さらに制御部９０は、課金サーバＳＶ６によるユーザに対する課金処理が完了すると、パッケージメディアの購入処理が完了したことを示す購入完了ページ情報を通信制御部９２及びネットワークインタフェース９３を順次介してクライアント端末２に送信する。
【００４６】
（１−６）ラジオ放送情報配信サーバＳＶ３の機能回路ブロック構成
次に、図７を用いてラジオ放送情報配信サーバＳＶ３の機能回路ブロックによるハードウェア構成を説明する。ラジオ放送情報配信サーバＳＶ３内の制御部１１０は、バス１１１を介して接続される各回路の動作を制御する。通信制御部１１２は、制御部１１０の制御のもと、ネットワークインタフェース１１３を介してクライアント端末２やポータルサーバ３等と各種情報を送受信する。顧客データベース部１１４には、ラジオ放送情報配信サーバＳＶ３の運営業者とすでに契約を完了しているユーザのユーザＩＤ情報とパスワード情報とが対応付けられて顧客情報として登録されている。ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
【００４７】
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
【００４８】
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。これにより制御部１１０は、その検索された取得希望のオンエアリスト情報を通信制御部１１２及びネットワークインタフェース１１３を順次介してクライアント端末２に送信する。
【００４９】
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
【００５０】
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。このようにして認証処理部１１５は、ユーザ認証処理が終了すると、そのユーザ認証処理の結果を示したサーバ認証結果情報（後述するサービスセッションＩＤ情報）を発行する。
【００５１】
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
【００５２】
（１−７）ディスク情報提供サーバＳＶ５の機能回路ブロック構成
次に、図８を用いてディスク情報提供サーバＳＶ５の機能回路ブロックによるハードウェア構成を説明する。ディスク情報提供サーバＳＶ５内の制御部１３０は、バス１３１を介して接続される各回路の動作を制御する。通信制御部１３２は、制御部１３０の制御のもと、ネットワークインタフェース１３３を介してクライアント端末２等とディスク情報等の各種情報を送受信する。ディスク情報記憶部１３４には、市販のＣＤに関するディスク情報（すなわち、ＣＤに音楽データとして記録されている楽曲の曲名や演奏時間、アーティスト名、個々の楽曲の音楽データに対するコンテンツＩＤ情報等でなる）と、当該ＣＤの音楽データに対する管理データに基づいて生成されたそのＣＤ固有の固有管理情報とが対応付けられて登録されている。
【００５３】
検索部１３５は、クライアント端末２からＣＤの再生時に送信されるそのＣＤの固有管理情報を含むディスク情報取得要求信号が、ネットワークインタフェース１３３及び通信制御部１３２を順次介して受信されると、制御部１３０の制御のもと、当該受信されたディスク情報報要求信号に含まれる固有管理情報を検索キーとして、ディスク情報記憶部１３４に記憶している複数のディスク情報の中から、当該検索キーの示す検索条件に該当するディスク情報を検索する。そして制御部１３０は、この検索部１３５によって検索されたディスク情報を、通信制御部１３２及びネットワークインタフェース１３３を順次介してクライアント端末２に送信する。このようにしてディスク情報提供サーバＳＶ５は、クライアント端末２で再生されたＣＤに対するディスク情報を、当該クライアント端末２に提供し得るようになされている。
【００５４】
（１−８）各サーバの処理概要
次に図９乃至図１４に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３との間で実行される処理の概要を説明する。
【００５５】
（１−８−１）クライアント端末２及びポータルサーバ３間のユーザ認証処理手順
まず図９を用いて、クライアント端末２とポータルサーバ３との間で実行されるユーザ認証処理手順について説明する。音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
【００５６】
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。なおかかる認証セッションＩＤ情報については、ユーザ認証処理等に利用するうえで、ポータルサーバ３による発行時点を基準とした所定の有効期限（例えば１分程度）が設定されている。
【００５７】
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。これによりポータルサーバ３は、過去に発行した認証セッションＩＤ情報が、音楽関連サービス提供システム１の運営業者と契約してはいないユーザによりユーザ認証処理等に対し不当に利用されることを防止している。また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
【００５８】
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。そして認証処理部５６は、制御部５０の制御のもと、クライアント端末２から接続要求信号として受信された認証セッションＩＤ情報等に基づいてユーザ認証処理を実行する。その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
【００５９】
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
【００６０】
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。そして制御部５０は、認証処理部５６によりそのクライアント端末２に対して発行された認証セッションＩＤ情報等を通信制御部５２及びネットワークインタフェース５３を順次介してクライアント端末２に送信する。
【００６１】
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。そして認証処理部３７は、制御部２３の制御のもとに、ポータルサーバ３から受信されたその認証セッションＩＤ情報等を認証情報記憶部３８に一時記憶する。これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
【００６２】
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
【００６３】
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
【００６４】
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
【００６５】
（１−８−２）クライアント端末２及び各サーバＳＶ１乃至ＳＶ３間のユーザ認証処理手順
次に、図１０において、クライアント端末２と、音楽データ配信サーバＳＶ１、物販サーバＳＶ２及びラジオ放送情報配信サーバＳＶ３との間で実行するユーザ認証処理について以下に説明する。
【００６６】
この場合、かかるユーザ認証処理としては、クライアント端末２が図９について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
【００６７】
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
【００６８】
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
【００６９】
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
【００７０】
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
【００７１】
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
【００７２】
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。そして制御部５０は、認証処理部５６により、クライアント端末２を利用するユーザが正規ユーザであると認証されると、後述するステップＳＰ１８に移る。
【００７３】
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
【００７４】
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。そして制御部５０は、認証処理部５６によりそのクライアント端末２に対して発行された認証セッションＩＤ情報等を通信制御部５２及びネットワークインタフェース５３を順次介してクライアント端末２に送信する。
【００７５】
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
【００７６】
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
【００７７】
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。そして制御部５０は、認証処理部５６により、クライアント端末２を利用するユーザが正規ユーザであると認証されると、次のステップＳＰ１８に移る。
【００７８】
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。これにより制御部５０は、認証チケット等を、認証処理部５６により有効期限の延長された認証セッションＩＤ情報等と共に通信制御部５２及びネットワークインタフェース５３を順次介してクライアント端末２に送信する。
【００７９】
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。そして制御部２３は、そのポータルサーバ３から受信した認証チケット等を認証要求信号と共に通信制御部３２及びネットワークインタフェース３３を順次介して音楽データ配信サーバＳＶ１に送信する。また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
【００８０】
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
【００８１】
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
【００８２】
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。また制御部７０は、認証処理部７５によりそのクライアント端末２に対して発行されたサービスセッションＩＤ情報等を通信制御部７２及びネットワークインタフェース７３を順次介してクライアント端末２に送信する。
【００８３】
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
【００８４】
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。そして制御部７０は、認証処理部７５により、クライアント端末２を利用するユーザが正規ユーザであると認証されると、次のステップＳＰ２５に移る。
【００８５】
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
【００８６】
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。またページ情報生成部３６は、音楽データ配信用のページ情報に基づく映像データを生成し、当該生成した映像データを表示制御部２４に送出する。これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
【００８７】
（１−８−３）音楽関連サービス提供処理
続いて図１１乃至図１４において、図１０について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
【００８８】
（１−８−３−１）音楽データ配信サービス提供処理手順
まず図１１を用いてクライアント端末２が、音楽データ配信サーバＳＶ１から音楽データ配信サービスの提供を受ける際の音楽データ配信サービス提供処理手順について説明する。
【００８９】
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
【００９０】
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。その結果、制御部７０は、認証処理部７５により、クライアント端末２を利用して音楽データのダウンロードを要求したユーザが正規ユーザであると認証されると、次のステップＳＰ３２に移る。
【００９１】
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。そして制御部７０は、検索部７９により音楽データが検索されると、認証処理部７５により、クライアント端末２に対し発行していたサービスセッションＩＤ情報等の有効期限を延長させて、次のステップＳＰ３３に移る。
【００９２】
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
【００９３】
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。このようにしてクライアント端末２は、音楽データ配信サーバＳＶ１の提供している音楽データ配信サービスを利用して、ユーザにより取得の希望された音楽データをダウンロードすることができる。
【００９４】
（１−８−３−２）物販サービス提供処理手順
次に図１２を用いてクライアント端末２が、物販サーバＳＶ２から物販サービスの提供を受ける際の物販サービス提供処理手順について説明する。
【００９５】
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
【００９６】
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。その結果、制御部９０は、認証処理部９５により、クライアント端末２を利用してパッケージメディアに関するパッケージメディア情報を要求したユーザが正規ユーザであると認証されると、次のステップＳＰ４２に移る。
【００９７】
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
【００９８】
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
【００９９】
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。またページ情報生成部３６は、制御部２３から与えられたパッケージメディア情報に基づいて映像データを生成し、当該生成した映像データを表示制御部２４によりアナログ映像信号に変換して表示部２５に送出する。このようにして制御部２３は、表示部２５に対しそのアナログ映像信号に基づく映像としてパッケージメディア情報を表示させると、次のステップＳＰ４５に移る。
【０１００】
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
【０１０１】
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。その結果、制御部９０は、認証処理部９５により、クライアント端末２を利用してパッケージメディアの購入を要求したユーザが正規ユーザであると認証されると、次のステップＳＰ４７に移る。
【０１０２】
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ６に送信することにより、その課金サーバＳＶ６に対し当該ユーザに対するパッケージメディアの購入に応じた課金処理を実行させる。また制御部９０は、認証処理部９５により、クライアント端末２に対し発行していたサービスセッションＩＤ情報等の有効期限を延長させる。
【０１０３】
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
【０１０４】
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。またページ情報生成部３６は、制御部２３から与えられた購入完了ページ情報に基づく映像データを生成し、当該生成した映像データを表示制御部２４によりアナログ映像信号に変換して表示部２５に送出する。これにより制御部２３は、表示部２５に対しそのアナログ映像信号に基づく映像として購入完了ページを表示させる。このようにしてクライアント端末２は、物販サーバＳＶ２の提供している物販サービスを利用して、ユーザに対して所望のパッケージメディアを購入させることができる。
【０１０５】
（１−８−３−３）オンエアリスト情報配信サービス提供処理手順
次に図１３を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
【０１０６】
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０１０７】
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。その結果、制御部１１０は、認証処理部１１５により、クライアント端末２を利用してオンエアリスト情報を要求したユーザが正規ユーザであると認証されると、次のステップＳＰ６２に移る。
【０１０８】
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
【０１０９】
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
【０１１０】
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。このようにしてクライアント端末２は、ラジオ放送情報配信サーバＳＶ３の提供しているラジオ放送情報配信サービスを利用して、ユーザに対して所望のオンエアリスト情報を取得させることができる。
【０１１１】
（１−８−３−４）ナウオンエア情報配信サービス提供処理手順
次に図１４を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
【０１１２】
ただしナウオンエア情報を提供するラジオ放送情報配信サーバＳＶ３は、ラジオ局（コールサイン）毎に設けられている。そしてクライアント端末２には、初期状態において、各ラジオ局に対応するラジオ放送情報配信サーバＳＶ３のＵＲＬ情報が記憶されていない場合がある。そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。このため、まずクライアント端末２は、ポータルサーバ３に対しユーザＩＤ情報及びパスワード情報等を送信することになる。
【０１１３】
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
【０１１４】
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。そして制御部５０は、このように認証処理部５６によりユーザが正規ユーザであると認証されると、次のステップＳＰ７２に移る。
【０１１５】
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
【０１１６】
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。これにより認証処理部３７は、制御部２３の制御のもと、ポータルサーバ３から受信された認証セッションＩＤ情報等を認証情報記憶部３８に一時記憶する。また表示制御部２４は、制御部２３から与えられた周波数情報、ラジオ局名及びコールサインのリストを表示部２５に送出することにより当該表示部２５に対しそのリストを表示させる。さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
【０１１７】
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。従って音声制御部２６は、チューナ部３１から与えられる音声データをアナログ音声信号に変換してスピーカ２７に送出することにより当該スピーカ２７から、選択されたラジオ番組の音声を出力させることができる。
【０１１８】
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
【０１１９】
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
【０１２０】
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。また制御部５０は、認証処理部５６により、クライアント端末２に対し発行していた認証セッションＩＤ情報等の有効期限を延長させる。そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
【０１２１】
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０１２２】
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図１０について上述したステップＳＰ１０の処理に対応している。従ってこのラジオ放送情報配信サービス提供処理手順では、ステップＳＰ７８の処理に引き続き、クライアント端末２及びラジオ放送情報配信サーバＳＶ３並びにポータルサーバ３において、図１０について上述したステップＳＰ１１乃至ステップＳＰ１３及びステップＳＰ１８乃至ステップＳＰ２２と同様のユーザ認証処理を順次実行した後、続くステップＳＰ７９に移る。
【０１２３】
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
【０１２４】
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。その結果、認証処理部１１５は、クライアント端末２を利用するユーザを正規ユーザであると認証すると、当該クライアント端末２からのナウオンエア情報の取得要求が正当な要求であると判断する。そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
【０１２５】
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
【０１２６】
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０１２７】
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
【０１２８】
（１−９）クライアント端末２のハードウェア回路ブロック構成
（１−９−１）回路構成
次にクライアント端末２のハードウェア回路ブロックによるハードウェア構成を説明する。かかるクライアント端末２のハードウェア回路ブロックによるハードウェア構成では、一部の機能を後述するソフトウェアモジュールに従って実現している。
【０１２９】
図１５に示すようにクライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。入力処理部２０１は、供給される操作入力信号に対して所定の処理を施すことにより、当該操作入力信号を操作コマンドに変換し、これをバス２０２を介してＣＰＵ（Central Processing Unit）２０３に供給する。
【０１３０】
ＣＰＵ２０３は、ＲＯＭ（Read Only Memory）２０４に予め格納されている基本プログラムやアプリケーションプログラム等の各種プログラムをバス２０２を介してＲＡＭ（Random Access Memory）２０５に読み出し、これら各種プログラムに従って全体を制御すると共に、所定の演算処理や、入力処理部２０１から供給される操作コマンドに応じた各種処理を実行する。
【０１３１】
ディスプレイ２０６は、例えば液晶ディスプレイ等の表示デバイスであって、筐体表面に直接取り付けられている場合や外付けされている場合がある。そしてディスプレイ２０６は、ＣＰＵ２０３による処理結果や各種映像データが表示処理部２０７を介してアナログ映像信号として供給されると、当該アナログ映像信号に基づく映像を表示する。
【０１３２】
メディアドライブ２０８は、例えばＣＤや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。そしてメディアドライブ２０８は、ＣＤやメモリスティックからコンテンツデータとして映像データを読み出したときには、当該再生した映像データをバス２０２を介して表示処理部２０７に供給する。またメディアドライブ２０８は、ＣＤやメモリスティックからコンテンツデータとして音声データを読み出したときには、当該再生した音声データを音声処理部２０９に供給する。
【０１３３】
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
【０１３４】
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。因みにＣＰＵ２０３は、ハードディスクドライブ２１１に対して記憶したコンテンツデータを、図３について上述したディレクトリ構成で管理している。そしてＣＰＵ２０３は、ハードディスクドライブ２１１に記憶したコンテンツファイルを当該ハードディスクドライブ２１１からコンテンツデータとして読み出すこともできる。なおＣＰＵ２０３は、ハードディスクドライブ２１１からコンテンツデータとして映像データを読み出したときには、当該読み出した映像データをバス２０２を介して表示処理部２０７に供給する。またＣＰＵ２０３は、ハードディスクドライブ２１１からコンテンツデータとして音声データを読み出したときには、当該読み出した音声データを音声処理部２０９に供給する。
【０１３５】
アンテナ２１２は、各ラジオ局から送信されてくるラジオ放送波を受信し、これをＡＭ／ＦＭチューナでなるチューナ２１３に送出する。チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。またＣＰＵ２０３は、チューナ２１３で得られた音声データをハードディスクドライブ２１１に送出して記録することにより、ラジオ番組の番組音声を録音することもできる。
【０１３６】
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ５にアクセスすることができる。これによりＣＰＵ２０３は、ポータルサーバ３やその他サーバＳＶ１乃至ＳＶ５との間で各種データを送受信することができる。
【０１３７】
（１−９−２）プログラムモジュール構成
図１６に示すように、上述の図１５に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ５との間でやりとりを行う。ＨＴＴＰ(Hyper Text Transfer Protocol)メッセージプログラム２４０は、ポータルサーバ３やその他サーバＳＶ１乃至ＳＶ５との間のやりとりをＨＴＴＰ通信で行うものであり、コミュニケータプログラム２４１は、ＨＴＴＰメッセージプログラム２４０とデータのやりとりを行うプログラムモジュールである。
【０１３８】
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。インターネットラジオ選局再生モジュール２４４と、楽曲購入再生モジュール２４５とにより再生された音声データは、音声処理部２０９に転送されることにより、最終的にスピーカ２１０から音声として出力される。
【０１３９】
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
【０１４０】
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。さらにコミュニケータプログラム２４１の上位には、データベースアクセスモジュール２４９、コンテンツデータアクセスモジュール２５０及びハードディスクコンテンツコントローラ２４７が位置する。このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
【０１４１】
ハードディスクコンテンツコントローラ２４７の上位には、ラジオ局が放送した楽曲のタイトルやアーティスト名等を表示するためのラジオ放送情報表示モジュール２５１、及びラジオ局を選局したり、当該ラジオ局から受信した楽曲としてのコンテンツデータをハードディスクドライブ２１１に記憶（録音）するチューナ選局再生／録音モジュール２５２が位置している。例えば、オーディオユーザインタフェース２５３を介して選局されたラジオ局から受信した楽曲は、コンテンツデータアクセスモジュール２５０を介してハードディスクドライブ２１１へ書き込まれるようになされている。またチューナ選局再生／録音モジュール２５２により再生されたコンテンツデータとしての音声データは、音声処理部２０９に転送されることにより、最終的にスピーカ２１０から音声として出力される。
【０１４２】
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶される。
【０１４３】
ＣＤ再生モジュール２５４は、メディアドライブ２０８に対してＣＤを再生するように制御する。そしてＣＤ再生モジュール２５４によりＣＤから再生された音声データは、音声処理部２０９に転送されることにより、最終的にスピーカ２１０から音声として出力される。ＨＤＤ再生モジュール２５５は、図示はしていないが、ハードディスクコンテンツコントローラ２４７及び著作権保護管理モジュール２４３と接続されている。これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。そしてＨＤＤ再生モジュール２５５により著作権管理情報に従って再生された音声データは、音声処理部２０９に転送されることにより、最終的にスピーカ２１０から音声として出力される。
【０１４４】
リッピングモジュール２５６は、図示はしていないが、ハードディスクコンテンツコントローラ２４７及び著作権保護管理モジュール２４３と接続されている。これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶される（すなわち、リッピングされる）ように、ＣＤ再生モジュール２５４、著作権保護管理モジュール２４３及びハードディスクコンテンツコントローラ２４７を制御する。
【０１４５】
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。またコンテンツ再生モジュール２４２は、図２について上述したクライアント端末２のエンコーダ／デコーダ部３４と同様の機能を実現可能なプログラムモジュールである。さらに著作権保護管理モジュール２４３は、図２について上述したクライアント端末２の著作権管理部３５と同様の機能を実現可能なプログラムモジュールである。さらにインターネットラジオ選局再生モジュール２４４は、図２について上述したクライアント端末２の制御部２３及び音声制御部２６と同様の機能を実現可能なプログラムモジュールである。
【０１４６】
さらに楽曲購入再生モジュール２４５は、図２について上述したクライアント端末２の制御部２３及び音声制御部２６と同様の機能を実現可能なプログラムモジュールである。さらにＸＭＬブラウザ２４６は、図２について上述したクライアント端末２の入力処理部２１及びページ情報生成部３６と同様の機能を実現可能なプログラムモジュールである。さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。さらにライブラリ２４８の認証ライブラリ２４８Ａは、図２について上述したクライアント端末２の認証処理部３７及び認証情報記憶部３８と同様の機能を実現可能なプログラムモジュールである。
【０１４７】
さらにライブラリ２４８のクリップライブラリ２４８Ｂは、図２について上述したクライアント端末２の制御部２３と同様の機能を実現可能なプログラムモジュールである。さらにラジオ放送情報表示モジュール２５１は、図２について上述したクライアント端末２のラジオ放送表示制御部３９と同様の機能を実現可能なプログラムモジュールである。さらにチューナ選局再生／録音モジュール２５２は、図２について上述したクライアント端末２の制御部２３及び音声制御部２６並びにチューナ部３１と同様の機能を実現可能なプログラムモジュールである。さらにオーディオユーザインタフェース２５３は、図２について上述したクライアント端末２の入力処理部２１及び制御部２３並びに表示制御部２４と同様の機能を実現可能なプログラムモジュールである。
【０１４８】
さらにＣＤ再生モジュール２５４は、図２について上述したクライアント端末２の音声制御部２６及び外部記録媒体記録再生部２８と同様の機能を実現可能なプログラムモジュールである。さらにＨＤＤ再生モジュール２５５は、図２について上述したクライアント端末２の制御部２３及び音声制御部２６と同様の機能を実現可能なプログラムモジュールである。さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
【０１４９】
従って図１５について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。またハードウェア回路ブロックによるハードウェア構成のクライアント端末２は、後述するデータ表示処理を実現可能である。そして機能回路ブロックによるハードウェア構成のクライアント端末２は、各機能回路ブロックが、それぞれハードウェア回路ブロックによるハードウェア構成のクライアント端末２に実装されているプログラムモジュールで実現可能な機能を網羅していることにより、かかるハードウェア回路ブロックによるハードウェア構成のクライアント端末２と同様に後述のデータ表示処理を実現することができる。
【０１５０】
（２）データ表示処理
（２−１）データ記録処理
上述した音楽データ配信サーバＳＶ１は、ダウンロード可能な多数の音楽データをシングル曲単位、及び複数の楽曲が収録されたアルバム単位で保持している。また音楽データ配信サーバＳＶ１は、シングル曲単位の音楽データ毎の属性情報（以下、これを特にシングル属性情報と呼ぶ）やアルバム単位の複数の音楽データの属性情報（以下、これを特にアルバム属性情報と呼ぶ）も、対応するシングル曲単位及びアルバム単位の音楽データと関連付けて保持している。この場合、シングル属性情報は、対応する１つの音楽データに基づく楽曲の名称（以下、これを曲名と呼ぶ）、アーティスト名及びコンテンツ識別情報等の種々の情報から構成されている。またアルバム属性情報は、対応する複数の音楽データに基づく楽曲が収録された１つのアルバムの名称（以下、これをアルバム名と呼ぶ）やアーティスト名、アルバム内の個々の楽曲の曲名及びコンテンツＩＤ等の種々の情報から構成されている。そして音楽データ配信サーバＳＶ１は、クライアント端末２に対しシングル曲単位の音楽データやアルバム単位の複数の音楽データをそれぞれ対応するシングル属性情報やアルバム属性情報と共にダウンロードコンテンツデータとして配信している。
【０１５１】
またクライアント端末２のＣＰＵ２０３は、図３について上述したディレクトリ構成において、最上位の「ｒｏｏｔ」ディレクトリの下層に、音楽データ配信サーバＳＶ１からダウンロードしたダウンロードコンテンツデータの一部でなるシングル曲単位及びアルバム単位の全ての音楽データ（すなわち、「ｔｒａｃｋ」ファイル）を一括管理するための「ｆｏｌｄｅｒ」ディレクトリ（以下、これを特にダウンロード「ｆｏｌｄｅｒ」ディレクトリと呼ぶ）を予め作成している。またＣＰＵ２０３は、かかるダウンロード「ｆｏｌｄｅｒ」ディレクトリの下層に、音楽データ配信サーバＳＶ１からダウンロードしたダウンロードコンテンツデータの一部でなるシングル曲単位の全ての音楽データ（すなわち、「ｔｒａｃｋ」ファイル）を一括して直接管理するための「ａｌｂｕｍ」ディレクトリ（以下、これを特にダウンロード「ｓｉｎｇｌｅ」ディレクトリと呼ぶ）を予め作成している。
【０１５２】
この状態でクライアント端末２のＣＰＵ２０３は、ユーザにより操作入力部２００を介してダウンロード希望の音楽データがシングル曲単位やアルバム単位で指定されると、これに応じたダウンロード要求信号を通信処理部２１４及びネットワークインタフェース２１５を順次介して音楽データ配信サーバＳＶ１に送信する。その結果、ＣＰＵ２０３は、音楽データ配信サーバＳＶ１から配信されるダウンロードコンテンツデータをネットワークインタフェース２１５及び通信処理部２１４を順次介して取り込む。
【０１５３】
そして音楽データ配信サーバＳＶ１から送信されるダウンロードコンテンツデータには、音楽データがシングル曲単位及びアルバム単位の何れの配信形態で配信されるかを示す配信形態情報が含まれている。従ってＣＰＵ２０３は、音楽データ配信サーバＳＶ１から送信されたダウンロードコンテンツデータを取り込むと、かかるダウンロードコンテンツデータに含まれる配信形態情報に基づいて、当該ダウンロードコンテンツデータの一部である音楽データの配信形態を判別する。その結果、ＣＰＵ２０３は、ダウンロードコンテンツデータの一部として音楽データがシングル曲単位の配信形態で配信されていると、かかるダウンロードコンテンツデータをハードディスクドライブ２１１に送出する。これによりＣＰＵ２０３は、かかるダウンロードコンテンツデータの一部でなるシングル曲単位の１つの音楽データをダウンロード「ｆｏｌｄｅｒ」ディレクトリ及びダウンロード「ｓｉｎｇｌｅ」ディレクトリを順次介して管理可能な「ｔｒａｃｋ」ファイルとしてハードディスクに記録する。
【０１５４】
またＣＰＵ２０３は、ダウンロードコンテンツデータの一部として音楽データがアルバム単位の配信形態で配信されていると、ダウンロード「ｆｏｌｄｅｒ」ディレクトリの下層に、当該アルバム単位の複数の音楽データ（すなわち、「ｔｒａｃｋ」ファイル）を一括して直接管理するための「ａｌｂｕｍ」ディレクトリ（以下、これをダウンロード「ａｌｂｕｍ」ディレクトリと呼ぶ）を作成し、ダウンロードコンテンツデータをハードディスクドライブ２１１に送出する。これによりＣＰＵ２０３は、かかるダウンロードコンテンツデータの一部でなるアルバム単位の複数の音楽データをそれぞれダウンロード「ｆｏｌｄｅｒ」ディレクトリ及びダウンロード「ａｌｂｕｍ」ディレクトリを順次介して管理可能な「ｔｒａｃｋ」ファイルとしてハードディスクに記録する。
【０１５５】
さらにＣＰＵ２０３は、このようにハードディスクに対して音楽データを「ｔｒａｃｋ」ファイルとして記憶すると、このとき音楽データ配信サーバＳＶ１からダウンロードしていたダウンロードコンテンツデータの一部でなるシングル属性情報及びアルバム属性情報を、ハードディスク内の対応する「ｔｒａｃｋ」ファイル（すなわち、ダウンロードしたシングル曲単位の音楽データ及びアルバム単位の複数の音楽データ）と関連付けて、当該ハードディスク内に予め構築された属性情報データベースに登録する。
【０１５６】
一方、音楽データのリッピングに利用されるＣＤについては、データ記録面に音楽データ記録領域と管理データ記録領域とが設けられている。この場合、音楽データ記録領域には、例えばアルバムに収録された複数楽曲の複数の音楽データが記録されている。また管理データ記録領域には、音楽データ記録領域に記録されている複数の音楽データを管理するための、個々の音楽データの再生時間（すなわち、個々の楽曲の演奏時間）や、再生の順番、音楽データ記録領域における音楽データの再生開始位置等から構成されるＴＯＣ（Table Of Contents ）と呼ばれる管理データが記録されている。
【０１５７】
またＣＰＵ２０３は、図３について上述したディレクトリ構成において、最上位の「ｒｏｏｔ」ディレクトリの下層に、ＣＤからリッピングした音楽データ及びラジオ放送を利用して録音したラジオ番組自体のラジオ番組データや当該ラジオ番組内で流れた楽曲の音楽データ（すなわち、「ｔｒａｃｋ」ファイル）を一括管理するための「ｆｏｌｄｅｒ」ディレクトリ（以下、これを特に録音「ｆｏｌｄｅｒ」ディレクトリと呼ぶ）を予め作成している。
【０１５８】
そしてＣＰＵ２０３は、音楽データのリッピング時、ユーザによる操作入力部２００の操作に応じて、ディレクトリ構成の録音「ｆｏｌｄｅｒ」ディレクトリの下層に、ＣＤからリッピングするアルバム単位の複数の音楽データ（すなわち、「ｔｒａｃｋ」ファイル）を一括して直接管理するための「ａｌｂｕｍ」ディレクトリ（以下、これを特にリッピング「ａｌｂｕｍ」ディレクトリと呼ぶ）を作成する。この状態でＣＰＵ２０３は、メディアドライブ２０８によりＣＤの音楽データ記録領域から複数の音楽データを順次読み出すと共に、管理データ記録領域から管理データを読み出す。これによりＣＰＵ２０３は、ＣＤから順次読み出した音楽データをハードディスクドライブ２１１に送出し、当該音楽データを録音「ｆｏｌｄｅｒ」ディレクトリ及びリッピング「ａｌｂｕｍ」ディレクトリを順次介して管理可能な「ｔｒａｃｋ」ファイルとしてハードディスクに記録する。またＣＰＵ２０３は、このときＣＤから読み出した管理データに基づいて当該ＣＤ固有の固有管理情報を生成する。そしてＣＰＵ２０３は、かかる固有管理情報を含むディスク情報取得要求信号を通信処理部２１４及びネットワークインタフェース２１５を順次介してディスク情報提供サーバＳＶ５に送信する。
【０１５９】
この場合、ディスク情報提供サーバＳＶ５は、内部のディスク情報記憶部１３４に対し、個々のＣＤに関するディスク情報（すなわち、かかるディスク情報は、ＣＤに記録されていた全ての音楽データの属性情報でなり、以下、これを特にリッピング属性情報と呼ぶ）と、当該ＣＤ内の管理データに基づいて生成された固有管理情報とを対応付けて登録している。従ってディスク情報提供サーバＳＶ５は、クライアント端末２から送信されたディスク情報取得要求信号を受信すると、当該受信したディスク情報取得要求信号に含まれる固有管理情報に基づいて、ディスク情報記憶部１３４内の複数のリッピング属性情報の中から、その固有管理情報に対応するリッピング属性情報を検索する。そしてディスク情報提供サーバＳＶ５は、検索したリッピング属性情報をクライアント端末２に返送する。これによりクライアント端末２のＣＰＵ２０３は、ディスク情報提供サーバＳＶ５から送信されたリッピング属性情報をネットワークインタフェース２１５及び通信処理部２１４を順次介して取り込む。そしてＣＰＵ２０３は、かかるリッピング属性情報を、ハードディスク内の対応する「ｔｒａｃｋ」ファイル（すなわち、ＣＤからリッピングしたアルバム単位の複数の音楽データ）と関連付けて属性情報データベースに登録する。
【０１６０】
さらにＣＰＵ２０３は、ラジオ放送の録音時、ユーザによる操作入力部２００の操作に応じて、ディレクトリ構成の録音「ｆｏｌｄｅｒ」ディレクトリの下層に、ラジオ放送を利用して録音するラジオ番組データや音楽データ（すなわち、「ｔｒａｃｋ」ファイル）を直接管理するための「ａｌｂｕｍ」ディレクトリ（以下、これを特に放送「ａｌｂｕｍ」ディレクトリと呼ぶ）を作成する。この状態でＣＰＵ２０３は、例えばラジオ放送の受信中にユーザによる操作入力部２００の操作に応じて録音操作命令が入力されると、そのときチューナ２１３を介して得られるラジオ番組自体のラジオ番組データやラジオ番組内で流れている楽曲の音楽データをハードディスクドライブ２１１に送出する。これによりＣＰＵ２０３は、かかるラジオ番組データや音楽データを録音「ｆｏｌｄｅｒ」ディレクトリ及び放送「ａｌｂｕｍ」ディレクトリを順次介して管理可能な「ｔｒａｃｋ」ファイルとしてハードディスクに記録する。
【０１６１】
またＣＰＵ２０３は、このときラジオ放送情報配信サーバＳＶ３から、現在受信中のラジオ放送に関するナウオンエア情報を取得する。この場合、ＣＰＵ２０３は、録音中のデータがラジオ番組データであると、当該ラジオ番組データを録音している間、適宜更新されるナウオンエア情報を定期的に取得してまとめることによりラジオ番組データの属性情報（以下、これを特に放送番組属性情報と呼ぶ）としてハードディスクドライブ２１１に送出する。一方、ＣＰＵ２０３は、録音中のデータがラジオ番組内で流れている楽曲の音楽データであると、当該音楽データを録音している間に取得したナウオンエア情報をかかる音楽データの属性情報（以下、これを特に放送楽曲属性情報と呼ぶ）としてハードディスクドライブ２１１に送出する。そしてＣＰＵ２０３は、ラジオ放送情報配信サーバＳＶ３から取得した放送番組属性情報や放送楽曲属性情報を、ハードディスク内の対応する「ｔｒａｃｋ」ファイル（すなわち、ラジオ放送を利用して録音したラジオ番組データや音楽データ）と関連付けて属性情報データベースに登録する。
【０１６２】
（２−２）属性情報登録処理
次いで、図１７乃至図１９を用いて、属性情報データベース３００に対し属性情報を登録する属性情報登録処理について説明する。ただし以下の説明では、シングル属性情報、アルバム属性情報、リッピング属性情報、放送番組属性情報、放送楽曲属性情報を特に区別する必要のない場合、説明の便宜上、これらをまとめて単に属性情報と呼ぶ。また以下の説明では、かかる属性情報のうちシングル属性情報及びアルバム属性情報を特に区別する必要のない場合、説明の便宜上、これらをまとめて単にダウンロード属性情報と呼ぶ。さらに以下の説明では、かかる属性情報のうちリッピング属性情報、放送番組属性情報及び放送楽曲属性情報を特に区別する必要のない場合、説明の便宜上、これらをまとめて単に録音属性情報と呼ぶ。これに加えて以下の説明では、音楽データ配信サーバＳＶ１からクライアント端末２で取得したシングル曲単位及びアルバム単位の音楽データを特に区別する必要のない場合、説明の便宜上、これらをまとめて単にダウンロードデータと呼ぶ。また以下の説明では、クライアント端末２でＣＤからリッピングした音楽データやラジオ放送を利用して録音したラジオ番組データ及び音楽データを特に区別する必要のない場合、説明の便宜上、これらをまとめて単に録音データと呼ぶ。
【０１６３】
まず図１７（Ａ）乃至（Ｃ）に示すように、クライアント端末２のＣＰＵ２０３は、予め設定された設定情報（すなわち、初期設定情報）に応じて、ハードディスク内の属性情報データベース３００に対し、属性情報Ａ乃至Ｃを順次並べて登録している。すなわち図１７（Ａ）に示すように、ＣＰＵ２０３は、属性情報データベース３００に対し１つ目の属性情報Ａを登録した場合、かかる１つ目の属性情報Ａに対し、これを特定可能な識別情報を付加する。またＣＰＵ２０３は、この時点ではまだ１つ目の属性情報Ａのみを登録しており、かかる１つ目の属性情報Ａが並びの始端及び終端を兼ねているため、当該１つ目の属性情報Ａに対し並びの位置を特定可能な位置特定情報として始端フラグＳＴ及び終端フラグＥＮの両方を付加する。
【０１６４】
そして図１７（Ｂ）に示すように、ＣＰＵ２０３は、この後、ダウンロードデータの取得に応じて属性情報データベース３００に対しダウンロード属性情報Ｂを登録するとき、当該ダウンロード属性情報Ｂに、これを特定可能な識別情報を付加する。またＣＰＵ２０３は、ダウンロード属性情報Ｂに対し位置特定情報として、始端を示す始端フラグＳＴと、終端側に１つ目の属性情報Ａが並ぶことを示す当該１つ目の属性情報Ａの識別情報を付加する。さらにＣＰＵ２０３は、このとき１つ目の属性情報Ａに付加していた始端フラグＳＴを、これよりも始端側にダウンロード属性情報Ｂが並ぶことを示す当該ダウンロード属性情報Ｂの識別情報に変更して位置特定情報を更新する。これによりＣＰＵ２０３は、ダウンロード属性情報Ｂを１つ目の属性情報Ａの始端側に並べるように登録する。このようにしてＣＰＵ２０３は、ダウンロードデータを取得する毎に属性情報データベース３００に対しダウンロード属性情報Ｂを登録するときには、常に、最も新しく記録するダウンロード属性情報Ｂが始端に位置するように位置特定情報を付加すると共に、かかるダウンロード属性情報Ｂに対し終端側で隣りに並ぶダウンロード属性情報Ｂ又は１つ目の属性情報Ａの位置特定情報を更新する。
【０１６５】
一方、図１７（Ｃ）に示すように、ＣＰＵ２０３は、１つ目の属性情報Ａの登録後、録音データの取得に応じて属性情報データベース３００に対し録音属性情報Ｃを登録するとき、当該録音属性情報Ｃに、これを特定可能な識別情報を付加する。またＣＰＵ２０３は、録音属性情報Ｃに対し位置特定情報として、終端を示す終端フラグＥＮと、始端側に１つ目の属性情報Ａが並ぶことを示す当該１つ目の属性情報Ａの識別情報を付加する。さらにＣＰＵ２０３は、このとき１つ目の属性情報Ａに付加していた終端フラグＥＮを、これよりも終端側に録音属性情報Ｃが並ぶことを示す当該録音属性情報Ｃの識別情報に変更して位置特定情報を更新する。これによりＣＰＵ２０３は、録音属性情報Ｃを１つ目の属性情報Ａの終端側に並べるように登録する。このようにしてＣＰＵ２０３は、録音データを取得する毎に属性情報データベース３００に対し録音属性情報Ｃを登録するときには、常に、最も新しく記録する録音属性情報Ｃが終端に位置するように位置特定情報を付加すると共に、かかる録音属性情報Ｃに対し始端側で隣りに並ぶ録音属性情報Ｃ又は１つ目の属性情報Ａの位置特定情報を更新する。
【０１６６】
これにより図１８に示すように、ＣＰＵ２０３は、ダウンロードデータを取得する毎に対応するダウンロード属性情報Ａ、Ｂ、……、Ｆ、Ｇ、Ｈを、終端側から始端側に順次列を延ばすように増やして当該終端側よりも始端側に位置する程、新しく記録するものとし、現時点に最も近い時点に取得した（すなわち、最も新しく取得した）ダウンロードデータに対応するダウンロード属性情報Ａを始端に位置させる第１の並びの順番で登録する。またＣＰＵ２０３は、録音データを取得する毎に対応する録音属性情報Ｉ、Ｊ、Ｋ、……、Ｚを、始端側から終端側に順次列を延ばすように増やして始端側よりも終端側に位置する程、新しく記録するものとし、現時点に最も近い時点に取得した（すなわち、最も新しく取得した）録音データに対応する録音属性情報Ｚを終端に位置させる第２の並びの順番で登録する。
【０１６７】
そして図１９に示すように、ＣＰＵ２０３は、属性情報データベース３００に対し属性情報としては少なくとも、ダウンロードデータ及び録音データに対応するデータ名称、アーティスト名、当該ダウンロードデータ及び録音データに対するデータ取得形態、かかる属性情報の提供元を示す情報提供元を登録している。ここで属性情報の一部でなるデータ名称は、対応するデータがダウンロードコンテンツデータの一部でなるシングル曲単位の音楽データの場合、当該音楽データに基づく楽曲の曲名となり、ダウンロードコンテンツデータの一部でなるアルバム単位の複数の音楽データの場合は当該複数の音楽データ全体で１つのアルバムを構成するためアルバム名となる。またかかるデータ名称は、対応するデータがＣＤからリッピングされた音楽データの場合、例えば１枚のＣＤからリッピングされた複数の音楽データ全体が１つのアルバムを構成するためアルバム名となり、ラジオ番組データの場合はラジオ番組の番組名となり、ラジオ番組内で流された楽曲の音楽データの場合は当該楽曲の曲名となる。
【０１６８】
さらに属性情報の一部でなるアーティスト名は、対応するデータがダウンロードコンテンツデータ、ＣＤからリッピングされた音楽データ、ラジオ番組内で流された楽曲の音楽データの場合、これら音楽データに基づく楽曲を演奏するアーティストのアーティスト名となる。しかしながらラジオ番組データの場合は、対応するアーティストが存在しないため未登録となる。さらに属性情報の一部でなるデータ取得形態は、対応するデータがダウンロードコンテンツデータの一部でなるシングル曲単位の音楽データの場合、シングル曲単位の配信形態によるダウンロードとなり、ダウンロードコンテンツデータの一部でなるアルバム単位の音楽データの場合はアルバム単位の配信形態によるダウンロードとなる。またかかるデータ取得形態は、対応するデータがＣＤからリッピングされた音楽データ、ラジオ番組データ、ラジオ番組内で流された楽曲の音楽データの場合はこれらを録音で取得しているため、何れも録音となる。
【０１６９】
これに加えて属性情報の一部でなる情報提供元は、対応するデータがダウンロードデータの場合は音楽データ配信サーバＳＶ１となり、ＣＤからリッピングされた音楽データの場合はディスク情報提供サーバＳＶ５となり、ラジオ番組データやラジオ番組内で流された楽曲の音楽データの場合はラジオ放送情報配信サーバＳＶ３となる。因みに属性情報データベース３００には、図示してはいないが、属性情報として、対応するデータがダウンロードコンテンツデータの一部でなるアルバム単位の音楽データや、ＣＤからリッピングされたアルバム単位の音楽データの場合は、データ名称としてアルバム名に、個々の音楽データに基づく楽曲の曲名が対応付けられて登録されている。また属性情報データベース３００には、属性情報として、アルバム名や曲名に対し、アルバム全体の再生時間や個々の楽曲の再生時間等も対応付けて登録されている。
【０１７０】
（２−３）提示リスト作成表示処理
次いで、図２０乃至図２７を用いて、取得したタウンロードデータや録音データをユーザに提示するための提示リストを作成し表示する提示リスト作成表示処理について以下に説明する。クライアント端末２のＣＰＵ２０３は、例えばダウンロードデータ及び録音データの再生の際にこれらダウンロードデータ及び録音データに対応するデータ名称を表示するように要求されると、図２０に示すディレクトリ構成の中で、ダウンロードデータ及び録音データをそれぞれ管理するダウンロード「ｆｏｌｄｅｒ」ディレクトリ３０１及び録音「ｆｏｌｄｅｒ」ディレクトリ３０２を鉛直方向に並べて提示する第１のディレクトリ提示画面３０３を生成し、これを表示処理部２０７を介してディスプレイ２０６に表示する。この際、図２１（Ａ）に示すようにＣＰＵ２０３は、属性情報データベース３００に対する属性情報Ａ乃至Ｚの登録の際の並びをこれらに付加していた位置特定情報に基づいて確認している。
【０１７１】
この状態でＣＰＵ２０３は、ユーザにより操作入力部２００を介して、例えば第１のディレクトリ提示画面３０３上でダウンロード「ｆｏｌｄｅｒ」ディレクトリ３０１が選択されると、図２１（Ｂ）に示すように、登録の際の並びを確認していた属性情報Ａ乃至Ｚの中から、ダウンロードコンテンツデータの一部でなるアルバム単位の音楽データに対応するアルバム属性情報Ｂ、……、Ｈを、登録の際の並びを維持した状態で抽出する。そしてＣＰＵ２０３は、登録の際の並びを維持した状態で抽出したアルバム属性情報Ｂ、……、Ｈに基づいて、これらアルバム属性情報Ｂ、……、Ｈに含まれるアルバム名を、当該登録の際の並びをそのまま反映させた第１の並びの順番で配置して提示するためのアルバム名提示リストを作成する。
【０１７２】
これによりＣＰＵ２０３は、かかるアルバム名提示リストを用いて、図２０に示すディレクトリ構成においてダウンロード「ｆｏｌｄｅｒ」ティレクトリ３０１の下層に位置するダウンロード「ｓｉｎｇｌｅ」ディレクトリ３０５及びダウンロード「ａｌｂｕｍ」ディレクトリ３０６Ａ乃至３０６Ｍを鉛直方向に並べて提示する第２のディレクトリ提示画面３０７を生成し、これを表示処理部２０７を介してディスプレイ２０６に表示する。この場合、ＣＰＵ２０３は、第２のディレクトリ提示画面３０７においてダウンロード「ａｌｂｕｍ」ディレクトリ３０６Ａ乃３０６Ｍの部分では、鉛直方向の一端（以下、これを上端と呼ぶ）を現時点に最も近い時点に取得した（すなわち、最も新しく取得した）アルバム単位の音楽データに対応するアルバム名とし、鉛直方向の他端（以下、これを下端と呼ぶ）を最も過去の時点に取得した（すなわち、最も過去に取得した）アルバム単位の音楽データに対応するアルバム名とするように、アルバム属性情報Ｂ、……、Ｈに含まれるアルバム名を、登録の際の並びと同じ第１の並びの順番で表示する。
【０１７３】
このときＣＰＵ２０３は、アルバム名提示リストを用いて、アルバム属性情報Ｂ、……、Ｈに含まれるアルバム名を、鉛直方向の他端（すなわち、下端）から一端（すなわち、上端）へ登録の際の並びと同じ第１の並びの順番で表示する図２２に示すようなアルバムリスト表示画面３１０を生成し、これも表示処理部２０７を介してディスプレイ２０６に表示する。この場合、ＣＰＵ２０３は、アルバムリスト表示画面３１０の表示を開始した直後の状態（すなわち、表示初期状態）では、最上端のアルバム名を必ず表示するようにして、アルバム名提示リスト内のアルバム名が比較的少ないと、これらアルバム名を一括表示する。しかしながらＣＰＵ２０３は、アルバム名提示リスト内のアルバム名が比較的多いと、図２３に示すように、ユーザによる操作入力部２００のスクロール操作に応じて、アルバムリスト表示画面３１０上で、アルバム名のリストを上端から下端側にスクロール表示することにより、これら比較的多いアルバム名を全て提示する。
【０１７４】
ところでＣＰＵ２０３は、アルバム単位で取得した音楽データに対応するアルバム名については第１の並びの順番で並べるものの、例えばユーザによりアルバム内の楽曲の曲名を確認するように要求されたときには、音楽データの提供元側でアルバムに対して予め決められた楽曲の再生順に従いかかる曲名を並べて表示する。すなわちＣＰＵ２０３は、第２のディレクトリ提示画面３０７やアルバムリスト表示画面３１０において、現時点に最も近い時点に取得した（すなわち、最も新しく取得した）アルバム単位の音楽データに対応するアルバム名を最上端に表示する。しかしながらＣＰＵ２０３は、アルバム内の各楽曲の曲名を表示する場合、予め１番目に再生するように決められている楽曲の曲名を最上端に表示し、かつ予め最後に再生するように決められている楽曲の曲名を最下端に表示するように、上端から下端にかけて再生の決められた順番が順次後となるように曲名を表示している。
【０１７５】
またＣＰＵ２０３は、第２のディレクトリ提示画面３０７を表示した状態で、ユーザにより操作入力部２００を介してダウンロード「ｓｉｎｇｌｅ」ディレクトリ３０５が選択されると、図２１（Ｃ）に示すように、登録の際の並びを確認していた属性情報Ａ乃至Ｚの中から、ダウンロードコンテンツデータの一部でなるシングル曲単位の音楽データに対応するシングル属性情報Ａ、……、Ｆ、Ｇを、登録の際の並びを維持した状態で抽出する。そしてＣＰＵ２０３は、登録の際の並びを維持した状態で抽出したシングル属性情報Ａ、……、Ｆ、Ｇに基づいて、これらシングル属性情報Ａ、……、Ｆ、Ｇに含まれる曲名を、当該登録の際の並びをそのまま反映させた第１の並びの順番で配置して提示するための曲名提示リストを作成する。
【０１７６】
これによりＣＰＵ２０３は、かかる曲名提示リストを用いて、鉛直方向の一端（すなわち、上端）を現時点に最も近い時点に取得した（すなわち、最も新しく取得した）シングル曲単位の音楽データに対応する曲名とし、当該鉛直方向の他端（すなわち、下端）を最も過去の時点に取得した（すなわち、最も過去に取得した）シングル曲単位の音楽データに対応する曲名とするように、シングル属性情報Ａ、……、Ｆ、Ｇに含まれる曲名を下端から一端へ登録の際の並びと同じ第１の並びの順番で表示する図２４に示すようなシングルリスト表示画面３１１を生成し、これを表示処理部２０７を介してディスプレイ２０６に表示する。この場合、ＣＰＵ２０３は、シングルリスト表示画面３１１の表示を開始した直後の状態（すなわち、表示初期状態）では、最上端の曲名を必ず表示するようにして、曲名提示リスト内の曲名が比較的少ないと、これら曲名を一括表示する。しかしながらＣＰＵ２０３は、曲名提示リスト内の曲名が比較的多いと、図２５に示すように、ユーザによる操作入力部２００のスクロール操作に応じて、シングルリスト表示画面３１１上で曲名のリストを上端から下端側にスクロール表示することにより、これら比較的多い曲名を全て提示する。
【０１７７】
一方、ＣＰＵ２０３は、第１のディレクトリ提示画面３０３を表示した状態で、ユーザにより操作入力部２００を介して録音「ｆｏｌｄｅｒ」ディレクトリ３０２が選択されると、図２１（Ｄ）に示すように、登録の際の並びを確認していた属性情報Ａ乃至Ｚの中から、録音データに対応する録音属性情報Ｉ、Ｊ、Ｋ、……、Ｚを、登録の際の並びを維持した状態で抽出する。そしてＣＰＵ２０３は、登録の際の並びを維持した状態で抽出した録音属性情報Ｉ、Ｊ、Ｋ、……、Ｚに基づいて、これら録音属性情報Ｉ、Ｊ、Ｋ、……、Ｚに含まれるアルバム名、番組名及び曲名を、当該登録の際の並びをそのまま反映させた第２の並びの順番で配置して提示するための名称提示リストを作成する。
【０１７８】
そしてＣＰＵ２０３は、かかる名称提示リストを用いて、図２０に示すディレクトリ構成において録音「ｆｏｌｄｅｒ」ティレクトリ３０２の下層に位置するリッピング「ａｌｂｕｍ」ディレクトリ３１５、３１６及び放送「ａｌｂｕｍ」ディレクトリ３１７を鉛直方向に並べて提示する第３のディレクトリ提示画面３１８を生成し、これを表示処理部２０７を介してディスプレイ２０６に表示する。この場合、ＣＰＵ２０３は、第３のディレクトリ提示画面３１８においてリッピング「ａｌｂｕｍ」ディレクトリ３１５、３１６及び放送「ａｌｂｕｍ」ディレクトリ３１７の部分では、鉛直方向の他端（すなわち、下端）を現時点に最も近い時点に取得した（すなわち、最も新しく取得した）録音データに対応するアルバム名、番組名及び曲名とし、鉛直方向の一端（すなわち、上端）を最も過去の時点に取得した（すなわち、最も過去に取得した）録音データに対応するアルバム名、番組名及び曲名とするように、録音属性情報Ｉ、Ｊ、Ｋ、……、Ｚに含まれるアルバム名、番組名及び曲名を、上端から下端へ登録の際の並びと同じ第２の並びの順番で表示する。
【０１７９】
このときＣＰＵ２０３は、名称提示リストを用いて、録音属性情報Ｉ、Ｊ、Ｋ、……、Ｚに含まれるアルバム名、番組名及び曲名を、鉛直方向の一端（すなわち、上端）から他端（すなわち、下端）へ登録の際の並びと同じ第２の並びの順番で表示する図２６に示すような録音リスト表示画面３１９を生成し、これも表示処理部２０７を介してディスプレイ２０６に表示する。この場合、ＣＰＵ２０３は、録音リスト表示画面３１９の表示を開始した直後の状態（すなわち、表示初期状態）では、最上端のアルバム名、番組名又は曲名を必ず表示するようにして、名称提示リスト内のアルバム名、番組名及び曲名が比較的少ないと、これらアルバム名、番組名及び曲名を一括表示する。しかしながらＣＰＵ２０３は、名称提示リスト内のアルバム名、番組名及び曲名が比較的多いと、図２７に示すように、ユーザによる操作入力部２００のスクロール操作に応じて、録音リスト表示画面３１９上で、アルバム名、番組名及び曲名のリストを上端から下端側にスクロール表示することにより、これら比較的多いアルバム名、番組名及び曲名を全て提示する。
【０１８０】
ところでＣＰＵ２０３は、録音データに対応するアルバム名、番組名及び曲名については第２の並びの順番で並べ、例えばユーザによりアルバム内の楽曲の曲名を確認するように要求されたときには、上述したダウンロードデータとしてのアルバム単位の音楽データの場合と同様に、音楽データの提供元側でアルバムに対し予め決められた楽曲の再生順に従いかかる曲名を並べて表示する。
【０１８１】
（２−４）表示処理手順
次いで、図２８及び図２９を用いて、クライアント端末２のＣＰＵ２０３が実行するデータ表示処理手順について説明する。この場合、かかる表示処理手順は、属性情報データベース３００に対し属性情報を登録する第１の属性情報登録処理手順ＲＴ１と、当該属性情報データベース３００に対して実際に登録した属性情報を用いてアルバムリスト表示画面３１０、シングルリスト表示画面３１１及び録音リスト表示画面３１９を表示する第１のリスト表示処理手順ＲＴ２とから実現している。従って以下には、第１の属性情報登録処理手順ＲＴ１と、第１のリスト表示処理手順ＲＴ２とについて順番に説明する。
【０１８２】
まず、クライアント端末２のＣＰＵ２０３は、当該クライアント端末２が起動すると、ＲＯＭ２０４に記憶しているデータベースアクセスモジュール２４９及びオーディオユーザインタフェース２５３（以下、これらをまとめて表示プログラムと呼ぶ）に従って図２８に示す第１の属性情報登録処理手順ＲＴ１を開始する。ＣＰＵ２０３は、第１の属性情報登録処理手順ＲＴ１を開始すると、ステップＳＰ１００において属性情報データベース３００に対する属性情報の登録を待ち受ける。そしてＣＰＵ２０３は、ステップＳＰ１００においてダウンロードデータや録音データを取得したことにより、属性情報データベース３００に対し属性情報を登録することになると、次のステップＳＰ１０１に移る。
【０１８３】
ステップＳＰ１０１においてＣＰＵ２０３は、属性情報データベース３００に登録する属性情報が１つ目の属性情報であるか否かを判別する。このステップＳＰ１０１において肯定結果が得られると、このことは属性情報データベース３００に対し未だ属性情報を全く登録してはいなかったことを表している。従ってＣＰＵ２０３は、このとき次のステップＳＰ１０２に移る。そしてステップＳＰ１０２においてＣＰＵ２０３は、属性情報データベース３００に対し１つ目の属性情報を、識別情報及び位置特定情報を付加して登録した後、ステップＳＰ１００に戻る。これに対してステップＳＰ１０１において否定結果が得られると、このことは属性情報データベース３００に対しすでに少なくとも１つの属性情報を登録していることを表している。従ってＣＰＵ２０３は、このときステップＳＰ１０３に移る。
【０１８４】
ステップＳＰ１０３おいてＣＰＵ２０３は、この時点に属性情報データベース３００に登録する属性情報が、ダウンロードデータに対応するダウンロード属性情報であるか否かを判別する。このステップＳＰ１０３において肯定結果が得られると、このことは、この時点にダウンロードデータを取得したことで、これに応じて属性情報データベース３００に対しダウンロード属性情報を登録することを表している。従ってＣＰＵ２０３は、このとき次のステップＳＰ１０４に移る。ステップＳＰ１０４においてＣＰＵ２０３は、予め設定された設定情報に応じて、属性情報データベース３００に対しダウンロード属性情報を、識別情報及び位置特定情報を付加して登録すると共に、当該ダウンロ−ド属性情報に対し終端側で隣りに並ぶ属性情報の位置特定情報を更新した後、ステップＳＰ１００に戻る。これに対してステップＳＰ１０３において否定結果が得られると、このことは、この時点に録音データを取得したことで、これに応じて属性情報データベース３００に対し録音属性情報を登録することを表している。従ってＣＰＵ２０３は、このときステップＳＰ１０５に移る。ステップＳＰ１０５においてＣＰＵ２０３は、予め設定された設定情報に応じて、属性情報データベース３００に対し録音属性情報を、識別情報及び位置特定情報を付加して登録すると共に、当該録音属性情報に対し始端側で隣りに並ぶ属性情報の位置特定情報を更新した後、ステップＳＰ１００に戻る。
【０１８５】
このようにしてＣＰＵ２０３は、クライアント端末２が起動している間、ダウンロードデータ及び録音データを取得する毎に、ステップＳＰ１００乃至ステップＳＰ１０５の処理を循環的に繰り返し実行することにより、属性情報データベース３００に対して対応するダウンロード属性情報を第１の並びの順番で登録すると共に、録音属性情報を第２の並びの順番で登録する。またＣＰＵ２０３は、第１の属性情報登録処理手順ＲＴ１を実行しながら、これと並行して図２９に示す第１のリスト表示処理手順ＲＴ２を実行する。すなわちＣＰＵ２０３は、クライアント端末２が起動すると、ＲＯＭ２０４に記憶している表示プログラムに従って第１のリスト表示処理手順ＲＴ２を開始する。ＣＰＵ２０３は、第１のリスト表示処理手順ＲＴ２を開始すると、ステップＳＰ１１０においてユーザにより、すでに取得しているダウンロードデータ及び録音データに対応するデータ名称を表示するように要求されることを待ち受ける。そしてＣＰＵ２０３は、ステップＳＰ１１０においてユーザによりデータ名称を表示するように要求されると、次のステップＳＰ１１１に移る。
【０１８６】
ステップＳＰ１１１においてＣＰＵ２０３は、ユーザにより表示の要求されたデータ名称が、ダウンロードデータに対応するデータ名称であるか否かを判別する。このステップＳＰ１１１において肯定結果が得られると、このことは例えばユーザにより、取得したばかりのダウンロードデータを早速再生するために、再生するダウンロードデータの選択用としてデータ名称を表示するように要求されたことを表している。従ってＣＰＵ２０３は、このとき次のステップＳＰ１１２に移る。ステップＳＰ１１２においてＣＰＵ２０３は、アルバムリスト表示画面３１０やシングルリスト表示画面３１１の下端から上端にダウンロードデータに対応するデータ名称を、属性情報データベース３００に対するダウンロード属性情報の登録時の第１の並びの順番で順次配置する。そしてＣＰＵ２０３は、ダウンロードデータに対応するデータ名称を第１の並びの順番で配置したアルバムリスト表示画面３１０やシングルリスト表示画面３１１をディスプレイ２０６に表示して、ステップＳＰ１１０に戻る。
【０１８７】
これに対してステップＳＰ１１１において否定結果が得られると、このことは例えばユーザにより、過去に取得した録音データを再生するために、再生する録音データの選択用としてデータ名称を表示するように要求されたことを表している。従ってＣＰＵ２０３は、このときステップＳＰ１１３に移る。ステップＳＰ１１３においてＣＰＵ２０３は、録音リスト表示画面３１９の上端から下端に録音データに対応するデータ名称を、属性情報データベース３００に対する録音属性情報の登録時の第２の並びの順番で順次配置する。そしてＣＰＵ２０３は、録音データに対応するデータ名称を第２の並びの順番で配置した録音リスト表示画面３１９をディスプレイ２０６に表示して、ステップＳＰ１１０に戻る。このようにしてＣＰＵ２０３は、クライアント端末２が起動している間、ダウンロードデータ及び録音データに対応するデータ名称の表示が要求される毎に、ステップＳＰ１１０乃至ステップＳＰ１１３の処理を循環的に繰り返し実行することにより、ダウンロードデータに対応するデータ名称をダウンロード属性情報登録時の第１の並びの順番で表示すると共に、録音データに対応するデータ名称を録音属性情報登録時の第２の並びの順番で表示する。
【０１８８】
（３）動作及び効果
以上の構成において、クライアント端末２は、音楽データ配信サーバＳＶ１から音楽データをシングル曲単位及びアルバム単位のダウンロードデータとして、対応するダウンロード属性情報と共にダウンロードする。そしてクライアント端末２は、ハードディスクにダウンロードデータを記録すると共に、当該ハードディスク内の属性情報データベース３００にダウンロード属性情報を第１の並びの順番で登録する。
【０１８９】
またクライアント端末２は、ＣＤから読み出した音楽データや、ラジオ放送を利用して取り込んだラジオ番組データ及び音楽データを録音データとしてハードディスクに記録する、このときディスク情報提供サーバＳＶ５やラジオ放送情報配信サーバＳＶ３から、録音データに対応する録音属性情報を取得すると共に、ハードディスク内の属性情報データベース３００に対し、その録音属性情報を第２の並びの順番で登録する。
【０１９０】
この状態でクライアント端末２は、ダウンロードデータに対応するデータ名称の表示が要求されると、アルバムリスト表示画面３１０やシングルリスト表示画面３１１の下端から上端に、ダウンロード属性情報に含まれるデータ名称を、属性情報データベース３００への当該ダウンロード属性情報の登録時の第１の並びの順番で順次配置する。そしてクライアント端末２は、ダウンロードデータに対応するデータ名称を第１の並びの順番で配置したアルバムリスト表示画面３１０やシングルリスト表示画面３１１をディスプレイ２０６に表示する。これによりクライアント端末２は、アルバムリスト表示画面３１０やシングルリスト表示画面３１１においてデータ名称を第１の並びの順番で下端から上端へ順次新しく取得したものとして、最下端を最も過去に取得したダウンロードデータに対応するデータ名称とし、かつ最上端を最も新しく取得したダウンロードデータに対応するデータ名称としてユーザに提示する。
【０１９１】
またクライアント端末２は、録音データに対応するデータ名称の表示が要求されると、録音リスト表示画面３１９の上端から下端に、録音属性情報に含まれるデータ名称を、属性情報データベース３００への当該録音属性情報の登録時の第２の並びの順番で順次配置する。そしてクライアント端末２は、録音データに対応するデータ名称を第２の並びの順番で配置した録音リスト表示画面３１９をディスプレイ２０６に表示する。これによりクライアント端末２は、録音リスト表示画面３１９において第２の並びの順番で上端から下端へ順次新しく取得したものとして、最上端を最も過去に取得した録音データに対応するデータ名称とし、かつ最下端を最も新しく取得した録音データに対応するデータ名称としてユーザに提示する。
【０１９２】
ここで音楽データ配信サーバＳＶ１は、配信可能なダウンロードデータ（すなわち、音楽データ）を圧縮符号化しデータ量を大幅に低減させることで、クライアント端末２に対し比較的高速にダウンロードさせている。そしてクライアント端末２では、ユーザにより楽曲の聴取が要望され、これに応じて音楽データ配信サーバＳＶ１からダウンロードデータをダウンロードしても、かかるダウンロードデータをダウンロードしながら再生はしないことで、当該ダウンロードの際にダウンロードデータの再生に伴う比較的長い時間がかかることを回避している。従ってクライアント端末２では、ユーザの要望に応じて音楽データ配信サーバＳＶ１からダウンロードデータをダウンロードする場合、そのダウンロードが完了してすぐに、ユーザにより楽曲の聴取のために当該ダウンロードデータを再生するように要求される可能性が著しく高い。このためクライアント端末２では、ダウンロードデータを選択させるために当該ダウンロードデータに対応するデータ名称を表示する場合、アルバムリスト表示画面３１０やシングルリスト表示画面３１１の表示初期状態において、最上端に配置した、最も新しく取得したダウンロードデータに対応するデータ名称を見せるようにした。これによりクライアント端末２は、データ名称が比較的多いためにアルバムリスト表示画面３１０やシングルリスト表示画面３１１でこれらデータ名称を一括表示し得ない場合でも、ユーザにより選択される可能性の著しく高い、最も新しく取得したダウンロードデータに対応するデータ名称を、スクロール表示に移行する前段階で確実に提示することができ、その結果、容易に選択させることができる。
【０１９３】
ところでクライアント端末２は、アルバムリスト表示画面３１０やシングルリスト表示画面３１１の表示初期状態で、上述した図２２及び図２４に示すように、最上端の最も新しく取得したダウンロードデータに対応するデータ名称（すなわち、アルバム名や曲名）をユーザに見せると共に、当該最上端のデータ名称に対し他の部分と表示状態を替えるカーソル（図中に破線の枠で示す）を重ねて表示している。そしてクライアント端末２は、アルバムリスト表示画面３１０やシングルリスト表示画面３１１上でデータ名称にカーソルを合わせた状態で再生命令が入力されると、これに応じて当該カーソルを合わせたデータ名称に対応するダウンロードデータの再生を開始する。すなわちクライアント端末２は、アルバムリスト表示画面３１０やシングルリスト表示画面３１１に対し少なくとも２つ以上のデータ名称を表示する場合でも、表示初期状態で最上端のデータ名称（すなわち、最も新しく取得したダウンロードデータに対応するデータ名称）にカーソルを自動的に合わせているため、ユーザに対し、画面上でカーソルを移動させながら、最も新しく取得したダウンロードデータに対応するデータ名称をわざわざ探させて選択させることなく、そのまま再生命令の入力操作に移行させることができる。
【０１９４】
特にクライアント端末２は、アルバムリスト表示画面３１０やシングルリスト表示画面３１１の表示初期状態に、最上端の最も新しく取得したダウンロードデータに対応するデータ名称を必ず見せるようにしているため、当該アルバムリスト表示画面３１０やシングルリスト表示画面３１１において表示すべきデータ名称の数が比較的少なくてこれらをスクロール表示なしに一括表示し得るときや、表示すべきデータ名称が比較的多いためにこれらデータ名称を一括して表示し難いとき（すなわち、全体を見るにはスクロール表示が必要なとき）のいずれにおいても、最も新しく取得したダウンロードデータに対応するデータ名称を容易かつ確実に確認させて選択させることができる。
【０１９５】
一方、クライアント端末２は、ＣＤから音楽データをリッピングするときや、ラジオ放送を利用してラジオ番組データ及び音楽データを記録する場合、当該ＣＤから読み出した音楽データを再生処理して楽曲を聴取させながらリッピングし、またラジオ放送を聴かせながらラジオ番組や当該ラジオ番組内で流れた楽曲を録音している。このためクライアント端末２では、ＣＤやラジオ放送を利用して録音データ（すなわち、音楽データやラジオ番組データ）を取得しても、その取得が完了してすぐに、その取得の間に聴かせていた楽曲やラジオ番組を再び聴取するために録音データを再生するように要求される可能性は著しく低い。これに対してクライアント端末２では、ハードディスクに対して多数の録音データを順次記録し得るものの、常に新たな録音データを記録可能な状態にするには録音データを適宜消去する必要がある。そしてクライアント端末２では、ユーザにより消去すべき録音データが選定される場合、最も過去に取得した録音データを再生して内容を確認したうえでその録音データが消去の対象として選択される可能性が著しく高い。このためクライアント端末２では、録音データに対応するデータ名称を表示する場合、従来の録音技術の文化を踏襲することで、録音リスト表示画面３１９の表示初期状態において最上端の最も過去に取得した録音データに対応するデータ名称を必ず見せるようにした。従ってクライアント端末２では、データ名称が比較的多いために録音リスト表示画面３１９でこれらデータ名称を一括表示し得ない場合でも、ユーザにより選択される可能性の著しく高い、最も過去に取得した録音データに対応するデータ名称を、スクロール表示に移行する前段階で確実に提示することができ、その結果、容易に選択させることができる。
【０１９６】
またクライアント端末２は、録音リスト表示画面３１９の表示初期状態に、上述した図２６に示すように、最上端の最も過去に取得した録音データに対応するデータ名称（すなわち、アルバム名や番組名、曲名）をユーザに見せると共に、当該最上端のデータ名称に他の部分と表示状態を替えるカーソル（図中に破線の枠で示す）を重ねて表示している。そしてクライアント端末２は、録音リスト表示画面３１９上でデータ名称にカーソルを合わせた状態で再生命令が入力されると、これに応じて当該カーソルを合わせたデータ名称に対応する録音データの再生を開始する。すなわちクライアント端末２は、録音リスト表示画面３１９に対し少なくとも２つ以上のデータ名称を表示する場合でも、表示初期状態で最上端のデータ名称（すなわち、最も過去に取得した録音データに対応するデータ名称）にカーソルを自動的に合わせているため、ユーザに対し、画面上でカーソルを移動させながら、最も過去に取得した録音データに対応するデータ名称をわざわざ探させて選択させることなく、そのまま再生命令の入力操作に移行させることができる。
【０１９７】
特にクライアント端末２は、録音リスト表示画面３１９の表示初期状態で、最上端の最も過去に取得した録音データに対応するデータ名称をユーザに見せるため、当該録音リスト表示画面３１９において表示すべきデータ名称の数が比較的少なくてこれらをスクロール表示なしに一括表示し得るときや、表示すべきデータ名称が比較的多いためにこれらデータ名称を一括して表示し難いとき（すなわち、全体を見るにはスクロール表示が必要なとき）のいずれにおいても、最も過去に取得した録音データに対応するデータ名称を容易かつ確実に確認させて選択させることができる。
【０１９８】
以上の構成によれば、クライアント端末２は、音楽データ配信サーバＳＶ１からダウンロードデータを取得したとき、ハードディスク内の属性情報データベース３００に対し、当該取得したダウンロードデータに対応するダウンロード属性情報を第１の並びの順番で登録すると共に、ＣＤ及びラジオ放送を利用して録音データを取得したとき、属性情報データベース３００に対し、当該取得した録音データに対応する録音属性情報を第２の並びの順番で登録し、ダウンロードデータに対応するデータ名称の表示が要求されると、ダウンロード属性情報に含まれるデータ名称を、属性情報データベース３００に対する当該ダウンロード属性情報の登録時の第１の並びの順番で表示し、録音データに対応するデータ名称の表示が要求されると、録音属性情報に含まれるデータ名称を、属性情報データベース３００に対する当該録音属性情報の登録時の第２の並びの順番で表示するようにしたことにより、ダウンロードデータ及び録音データのデータ名称をそれぞれ一括表示し難い場合でも、当該ダウンロードデータ及び録音データの種別に応じて選択される可能性の高いデータ名称を、スクロール表示に移行する前段階で提示することができ、かくして所望のダウンロードデータ及び録音データを容易に選択させ得るクライアント端末２を実現することができる。
【０１９９】
またクライアント端末２は、属性情報データベース３００に対しダウンロード属性情報及び録音属性情報を登録する際に、当該ダウンロード属性情報を第１の並びの順番で登録し、録音属性情報を第２の並びの順番で登録しておくことで、ダウンロードデータ及び録音データに対応するデータ名称を表示する際に、かかるデータ名称を並び替えるような煩雑な処理が必要となることを回避することができ、かくしてデータ名称の表示処理の際の処理負荷を大幅に低減させることができる。
【０２００】
さらにクライアント端末２は、ダウンロードデータに対応するデータ名称を表示した時点で、最も新しく取得したダウンロードデータに対応するデータ名称を最上端に表示して見せ、かつそのデータ名称に対し選択用のカーソルを合わせるため、表示すべきデータ名称の数が比較的少なくてこれらをスクロール表示なしに一括表示し得るときや、表示すべきデータ名称が比較的多いためにこれらデータ名称を一括して表示し難いときのいずれにおいても、最も新しく取得したダウンロードデータに対応するデータ名称を容易かつ確実に確認させて選択させることができる。
【０２０１】
さらにクライアント端末２は、録音データに対応するデータ名称を表示した時点でも、最も過去に取得した録音データに対応するデータ名称を最上端に表示して見せ、かつそのデータ名称に対し選択用のカーソルを合わせるため、表示すべきデータ名称の数が比較的少なくてこれらをスクロール表示なしに一括表示し得るときや、表示すべきデータ名称が比較的多いためにこれらデータ名称を一括して表示し難いときのいずれにおいても、最も過去に取得した録音データに対応するデータ名称を容易かつ確実に確認させて選択させることができる。
【０２０２】
〔２〕第２の実施の形態
（１）クライアント端末２のハードウェア回路ブロック構成
図１５との対応部分に同一符号を付して示す図３０において、第２の実施の形態によるクライアント端末３５０は、上述した第１の実施の形態によるクライアント端末２とほぼ同様に構成され、上述したデータ表示処理のみを第１の実施の形態とは異なる手法で実行している。従って以下には、第２の実施の形態によるクライアント端末３５０で実行するデータ表示処理について説明する。因みに、第２の実施の形態によるクライアント端末３５０は、上述した第１の実施の形態による音楽関連サービス提供システム１に組み込んで、第１の実施の形態によるクライアント端末２と同様に機能させることができる。また第２の実施の形態によるクライアント端末３５０は、第１の実施の形態において上述した機能回路ブロックによるクライアント端末としても構成することができる。従って以下に説明するデータ表示処理は、ハードウェア回路ブロックによるハードウェア構成のクライアント端末３５０のみならず、機能回路ブロックによるハードウェア構成のクライアント端末としても実現可能である。
【０２０３】
（２）データ表示処理
（２−１）データ記録処理
クライアント端末３５０のＣＰＵ３５１は、上述した第１の実施の形態によるクライアント端末２と同様に、音楽データ配信サーバＳＶ１からシングル曲単位の音楽データやアルバム単位の複数の音楽データをそれぞれ対応するシングル属性情報やアルバム属性情報と共にダウンロードコンテンツデータとしてダウンロードする。そしてＣＰＵ３５１は、このようにダウンロードコンテンツデータをダウンロードした場合にも、上述した第１の実施の形態によるクライアント端末２と同様なデータ記録処理を実行する。これによりＣＰＵ３５１は、ハードディスクにダウンロードデータを「ｔｒａｃｋ」ファイルとして記録すると共に、ダウンロードデータに対応するダウンロード属性情報（すなわち、シングル属性情報及びアルバム属性情報）を、ハードディスク内の対応する「ｔｒａｃｋ」ファイル（すなわち、ダウンロードしたシングル曲単位の音楽データ及びアルバム単位の複数の音楽データ）と関連付けて、当該ハードディスク内に予め構築された属性情報データベースに登録する。
【０２０４】
またＣＰＵ３５１は、ＣＤを利用した音楽データのリッピングも、上述した第１の実施の形態によるクライアント端末２と同様に実行する。これによりＣＰＵ３５１は、ハードディスクに対し、ＣＤから読み出した音楽データを「ｔｒａｃｋ」ファイルとして記録すると共に、その際、ディスク情報提供サーバＳＶ５から取得したリッピング属性情報を、ハードディスク内の対応する「ｔｒａｃｋ」ファイル（すなわち、ＣＤからリッピングしたアルバム単位の複数の音楽データ）と関連付けて属性情報データベースに登録する。
【０２０５】
さらにＣＰＵ３５１は、ラジオ放送の録音も、上述した第１の実施の形態によるクライアント端末２と同様に実行する。これによりＣＰＵ３５１は、ハードディスクに対し、ラジオ番組自体のラジオ番組データやラジオ番組内で流れている楽曲の音楽データを「ｔｒａｃｋ」ファイルとして記録すると共に、その際、ラジオ放送情報配信サーバＳＶ３から取得した放送番組属性情報及び放送楽曲属性情報を、ハードディスク内の対応する「ｔｒａｃｋ」ファイル（すなわち、ラジオ放送を利用して録音したラジオ番組データや音楽データ）と関連付けて属性情報データベースに登録する。
【０２０６】
（２−２）属性情報登録処理
次いで、図３１及び図３２を用いて、属性情報データベース３５２に対し属性情報を登録する属性情報登録処理について説明する。図３１に示すように、クライアント端末３５０のＣＰＵ３５１は、予め設定された設定情報（すなわち、初期設定情報）に応じて、ハードディスク内の属性情報データベース３５２に対し、１つ目の属性情報Ａを登録した場合、かかる１つ目の属性情報Ａに対し、これを特定可能な識別情報を付加する。またＣＰＵ３５１は、この時点ではまだ１つ目の属性情報Ａのみを登録しており、かかる１つ目の属性情報Ａが並びの始端及び終端を兼ねているため、当該１つ目の属性情報Ａに対し並びの位置を特定可能な位置特定情報として始端フラグＳＴ及び終端フラグＥＮの両方を付加する。
【０２０７】
そしてＣＰＵ３５１は、この後、ダウンロードデータ及び録音データの取得に応じて属性情報データベース３５２に対し属性情報Ｂ乃至Ｚを登録する場合、かかる属性情報Ｂ乃至Ｚがダウンロード属性情報Ａ、Ｃ、Ｅ、……、Ｙ、Ｚ及び録音属性情報Ｂ、Ｄ、Ｆ、……、Ｘのいずれでも、当該属性情報Ｂ乃至Ｚに、これを特定可能な識別情報を付加する。またＣＰＵ３５１は、属性情報Ｂ乃至Ｚに対し位置特定情報として、終端を示す終端フラグＥＮと、始端側に他の属性情報Ａ乃至Ｙが並ぶことを示す当該他の属性情報Ａ乃至Ｙの識別情報を付加する。さらにＣＰＵ３５１は、このとき始端側の他の属性情報Ａ乃至Ｙに付加していた終端フラグＥＮを、これよりも終端側に新たな属性情報Ｂ乃至Ｚが並ぶことを示す当該新たな属性情報Ｂ乃至Ｚの識別情報に変更して位置特定情報を更新する。このようにしてＣＰＵ３５１は、ダウンロードデータ及び録音データを取得する毎に属性情報データベース３５２に対し属性情報Ｂ乃至Ｚを登録するとき、当該属性情報Ｂ乃至Ｚが終端に位置するように位置特定情報を付加すると共に、かかる属性情報Ｂ乃至Ｚに対し始端側で隣りに並ぶ他の属性情報Ａ乃至Ｙの位置特定情報を更新する。これによりＣＰＵ３５１は、ダウンロードデータ及び録音データを取得する毎に、属性情報データベース３５２に対して、属性情報Ｂ乃至Ｚを始端側から終端側に順次列を延ばすように増やして当該始端側よりも終端側に位置する程、新しく記録するものとし、現時点に最も近い時点に取得した（すなわち、最も新しく取得した）ダウンロードデータ及び録音データに対応する属性情報Ｂ乃至Ｚを終端に位置させる第２の並びの順番で登録する。
【０２０８】
そして図３２に示すように、ＣＰＵ３５１は、上述した第１の実施の形態による属性情報データベース３００の場合と同様に、属性情報データベース３５２に対し属性情報としては少なくとも、ダウンロードデータ及び録音データに対応するデータ名称、アーティスト名、当該ダウンロードデータ及び録音データに対するデータ取得形態、かかる属性情報の提供元を示す情報提供元を登録している。しかしながらＣＰＵ３５１は、上述したように属性情報データベース３５２に対し、ダウンロードデータに対応するダウンロード属性情報と録音データに対応する録音属性情報とを両方共に同一の第２の並びの順番で、かつ時系列となるように登録している。
【０２０９】
（２−３）提示リスト作成表示処理
次いで、図３３（Ａ）乃至（Ｄ）を用いて、取得したダウンロードデータや録音データをユーザに提示するための提示リストを作成し表示する提示リスト作成表示処理について以下に説明する。まず図３３（Ａ）に示すように、クライアント端末３５０のＣＰＵ３５１は、例えばダウンロードデータ及び録音データの再生の際にこれらダウンロードデータ及び録音データに対応するデータ名称を表示するように要求されると、図２０について上述した第１のディレクトリ提示画面３０３を表示した状態で、ハードディスク内の属性情報データベース３５２に対する属性情報Ａ乃至Ｚの登録の際の並びをこれらに付加していた位置特定情報に基づいて確認する。この状態でＣＰＵ３５１は、ユーザにより第１のディレクトリ提示画面３０３を介して、ダウンロードコンテンツデータの一部でなるアルバム単位の音楽データに対応するアルバム名の表示が要求されると、図３３（Ｂ）に示すように、登録の際の並びを確認していた属性情報Ａ乃至Ｚの中から当該アルバム単位の音楽データに対応するアルバム属性情報Ａ、……、Ｚを、登録の際の並び（すなわち、第２の並び）を維持した状態で抽出する。そしてＣＰＵ３５１は、登録の際の並びを維持した状態で抽出したアルバム属性情報Ａ、……、Ｚから当該並びの順番を維持した状態でアルバム名を抽出すると共に、当該抽出したアルバム名に対する第２の並びの順番を、第１の並びの順番に並べ替えてアルバム名提示リストを作成する。これによりＣＰＵ３５１は、かかるアルバム名提示リストを用いて、図２０について上述した第２のディレクトリ提示画面３０７や図２２及び図２３について上述したアルバムリスト表示画面３１０を生成して表示する。
【０２１０】
またＣＰＵ３５１は、第２のディレクトリ提示画面３０７を表示した状態で、ユーザによりダウンロードコンテンツデータの一部でなるシングル曲単位の音楽データに対応する曲名を表示するように要求されると、図３３（Ｃ）に示すように、登録の際の並びを確認していた属性情報Ａ乃至Ｚの中から、当該シングル曲単位の音楽データに対応するシングル属性情報Ｃ、Ｅ、……、Ｙを、登録の際の並び（すなわち、第２の並び）を維持した状態で抽出する。そしてＣＰＵ３５１は、登録の際の並びを維持した状態で抽出したシングル属性情報Ｃ、Ｅ、……、Ｙからさらに当該並びの順番を維持した状態で曲名を抽出すると共に、当該抽出した曲名に対する第２の並びの順番を、第１の並びの順番に並べ替えて曲名提示リストを作成する。これによりＣＰＵ３５１は、かかる曲名提示リストを用いて、図２４及び図２５について上述したシングルリスト表示画面３１１を生成して表示する。
【０２１１】
さらにＣＰＵ３５１は、ユーザにより第１のディレクトリ提示画面３０３を介して録音データに対応するデータ名称（すなわち、アルバム名、番組名及び曲名）を表示するように要求されると、図３３（Ｄ）に示すように、登録の際の並びを確認していた属性情報Ａ乃至Ｚの中から、録音データに対応する録音属性情報Ｂ、Ｄ、Ｆ、……、Ｘを、登録の際の並び（すなわち、第２の並び）を維持した状態で抽出する。そしてＣＰＵ３５１は、登録の際の並びを維持した状態で抽出した録音属性情報Ｂ、Ｄ、Ｆ、……、Ｘに含まれるデータ名称（すなわち、アルバム名、番組名及び曲名）を、当該登録の際の並びをそのまま反映させた第２の並びの順番で配置して提示するための名称提示リストを作成する。これによりＣＰＵ３５１は、かかる名称提示リストを用いて、図２０について上述した第３のディレクトリ提示画面３１８や図２６及び図２７について上述した録音リスト表示画面３１９を生成して表示する。
【０２１２】
（２−４）表示処理手順
次いで、図３４及び図３５を用いて、クライアント端末３５０のＣＰＵ３５１が実行するデータ表示処理手順について説明する。この場合、かかる表示処理手順は、属性情報データベース３５２に対し属性情報を登録する第２の属性情報登録処理手順ＲＴ３と、当該属性情報データベース３５２に対して実際に登録した属性情報を用いてアルバムリスト表示画面３１０、シングルリスト表示画面３１１及び録音リスト表示画面３１９を表示する第２のリスト表示処理手順ＲＴ４とから実現している。従って以下には、第２の属性情報登録処理手順ＲＴ３と、第２のリスト表示処理手順ＲＴ４とについて順番に説明する。
【０２１３】
まず、クライアント端末３５０のＣＰＵ３５１は、当該クライアント端末３５０が起動すると、ＲＯＭ２０４に記憶している表示プログラムに従って図３４に示す第２の属性情報登録処理手順ＲＴ３を開始する。ＣＰＵ３５１は、第２の属性情報登録処理手順ＲＴ３を開始すると、ステップＳＰ１２０において属性情報データベース３５２に対する属性情報の登録を待ち受ける。そしてＣＰＵ３５１は、ステップＳＰ１２０においてダウンロードデータや録音データを取得したことにより、属性情報データベース３５２に対し属性情報を登録することになると、次のステップＳＰ１２１に移る。
【０２１４】
ステップＳＰ１２１においてＣＰＵ３５１は、属性情報データベース３５２に対し登録する属性情報が１つ目の属性情報であるか否かを判別する。このステップＳＰ１２１において肯定結果が得られると、このことは属性情報データベース３５２に対し未だ属性情報を全く登録してはいなかったことを表している。従ってＣＰＵ３５１は、このとき次のステップＳＰ１２２に移る。そしてステップＳＰ１２２においてＣＰＵ３５１は、属性情報データベース３５２に対し１つ目の属性情報を、識別情報及び位置特定情報を付加して登録した後、ステップＳＰ１２０に戻る。
【０２１５】
これに対してステップＳＰ１２１において否定結果が得られると、このことは属性情報データベース３５２に対しすでに少なくとも１つの属性情報を登録していることを表している。従ってＣＰＵ３５１は、このときステップＳＰ１２３に移る。ステップＳＰ１２３おいてＣＰＵ３５１は、予め設定された設定情報に応じて、属性情報データベース３５２に対し属性情報を、識別情報及び位置特定情報を付加して登録すると共に、当該属性情報に対し終端側で隣りに並ぶ他の属性情報の位置特定情報を更新した後、ステップＳＰ１２０に戻る。このようにしてＣＰＵ３５１は、クライアント端末３５０が起動している間、ダウンロードデータ及び録音データを取得する毎に、ステップＳＰ１２０乃至ステップＳＰ１２３の処理を循環的に繰り返し実行することにより、属性情報データベース３５２に対して属性情報（すなわち、ダウンロード属性情報及び録音属性情報）を第２の並びの順番で登録する。
【０２１６】
またＣＰＵ３５１は、第２の属性情報登録処理手順ＲＴ３を実行しながら、これと並行して図３５に示す第２のリスト表示処理手順ＲＴ４を実行する。すなわちＣＰＵ３５１は、クライアント端末３５０が起動すると、ＲＯＭ２０４に記憶している表示プログラムに従って第２のリスト表示処理手順ＲＴ４を開始する。ＣＰＵ３５１は、第２のリスト表示処理手順ＲＴ４を開始すると、ステップＳＰ１３０においてユーザにより、すでに取得しているダウンロードデータ及び録音データに対応するデータ名称を表示するように要求されることを待ち受ける。そしてＣＰＵ３５１は、ステップＳＰ１３０においてユーザによりデータ名称を表示するように要求されると、次のステップＳＰ１３１に移る。
【０２１７】
ステップＳＰ１３１においてＣＰＵ３５１は、ユーザにより表示の要求されたデータ名称が、ダウンロードデータに対応するデータ名称であるか否かを判別する。このステップＳＰ１３１において肯定結果が得られると、このことは例えばユーザにより、取得したばかりのダウンロードデータを早速再生するために、再生するダウンロードデータの選択用としてデータ名称を表示するように要求されたことを表している。従ってＣＰＵ３５１は、このとき次のステップＳＰ１３２に移る。ステップＳＰ１３２においてＣＰＵ３５１は、ダウンロードデータに対応するダウンロード属性情報から、属性情報データベース３５２に対する当該ダウンロード属性情報の登録時の第２の並びの順番でデータ名称を抽出する。そしてＣＰＵ３５１は、そのデータ名称の第２の並びの順番を第１の並びの順番に並び替えて、次のステップＳＰ１３３に移る。ステップＳＰ１３３においてＣＰＵ３５１は、第１の並びの順番に並べ替えたデータ名称を、アルバムリスト表示画面３１０やシングルリスト表示画面３１１の下端から上端に第１の並びの順番で順次配置する。そしてＣＰＵ３５１は、ダウンロードデータに対応するデータ名称を第１の並びの順番で配置したアルバムリスト表示画面３１０やシングルリスト表示画面３１１をディスプレイ２０６に表示して、ステップＳＰ１３０に戻る。
【０２１８】
これに対してステップＳＰ１３１において否定結果が得られると、このことは例えばユーザにより、過去に取得した録音データを再生するために、再生する録音データの選択用としてデータ名称を表示するように要求されたことを表している。従ってこのときＣＰＵ３５１は、ステップＳＰ１３４に移る。ステップＳＰ１３４においてＣＰＵ３５１は、録音リスト表示画面３１９の上端から下端に、録音データに対応するデータ名称を、属性情報データベース３５２に対する録音属性情報の登録時の第２の並びの順番で順次配置する。そしてＣＰＵ３５１は、録音データに対応するデータ名称を第２の並びの順番で配置した録音リスト表示画面３１９をディスプレイ２０６に表示して、ステップＳＰ１３０に戻る。このようにしてＣＰＵ３５１は、クライアント端末３５０が起動している間、ダウンロードデータ及び録音データに対応するデータ名称の表示が要求される毎に、ステップＳＰ１３０乃至ステップＳＰ１３４の処理を循環的に繰り返し実行することにより、ダウンロードデータに対応するデータ名称をダウンロード属性情報登録時の第２の並びの順番とは逆の第１の並びの順番で表示すると共に、録音データに対応するデータ名称を録音属性情報登録時の第２の並びの順番で表示する。
【０２１９】
（３）動作及び効果
以上の構成において、クライアント端末３５０は、音楽データ配信サーバＳＶ１から音楽データをシングル曲単位及びアルバム単位のダウンロードデータとして対応するダウンロード属性情報と共にダウンロードする。そしてクライアント端末３５０は、ハードディスクにダウンロードデータを記録すると共に、当該ハードディスク内の属性情報データベース３５２に対し、ダウンロード属性情報を第２の並びの順番で登録する。
【０２２０】
またクライアント端末３５０は、ＣＤから読み出した音楽データや、ラジオ放送を利用して取り込んだラジオ番組データ及び音楽データを録音データとしてハードディスクに記録すると、このときディスク情報提供サーバＳＶ５やラジオ放送情報配信サーバＳＶ３から、録音データに対応する録音属性情報を取得すると共に、ハードディスク内の属性情報データベース３５２に対し、当該録音属性情報を第２の並びの順番で登録する。
【０２２１】
この状態でクライアント端末３５０は、ダウンロードデータに対応するデータ名称の表示が要求されると、ダウンロード属性情報に含まれるデータ名称を、属性情報データベース３５２への当該ダウンロード属性情報の登録時の第２の並びの順番で抽出すると共に、当該抽出したデータ名称の第２の並びの順番を第１の並びの順番に並べ替えてアルバムリスト表示画面３１０やシングルリスト表示画面３１１の下端から上端に順次配置する。そしてクライアント端末３５０は、ダウンロードデータに対応するデータ名称を第１の並びの順番で配置したアルバムリスト表示画面３１０やシングルリスト表示画面３１１をディスプレイ２０６に表示する。これによりクライアント端末３５０は、アルバムリスト表示画面３１０やシングルリスト表示画面３１１においてデータ名称を第１の並びの順番で下端から上端へ順次新しく取得したものとして、最下端を最も過去に取得したダウンロードデータに対応するデータ名称とし、かつ最上端を最も新しく取得したダウンロードデータに対応するデータ名称としてユーザに提示する。
【０２２２】
またクライアント端末３５０は、録音データに対応するデータ名称の表示が要求されると、録音リスト表示画面３１９の上端から下端に録音属性情報に含まれるデータ名称を、属性情報データベース３５２への当該録音属性情報の登録時の第２の並びの順番で順次配置する。そしてクライアント端末３５０は、録音データに対応するデータ名称を第２の並びの順番で配置した録音リスト表示画面３１９をディスプレイ２０６に表示する。これによりクライアント端末３５０は、録音リスト表示画面３１９において第２の並びの順番で上端から下端へ順次新しく取得したものとして、最上端を最も過去に取得した録音データに対応するデータ名称とし、かつ最下端を最も新しく取得した録音データに対応するデータ名称としてユーザに提示する。
【０２２３】
以上の構成によれば、クライアント端末３５０は、音楽データ配信サーバＳＶ１からダウンロードデータを取得したとき、ハードディスク内の属性情報データベース３５２に対し、当該取得したダウンロードデータに対応するダウンロード属性情報を第２の並びの順番で登録すると共に、ＣＤ及びラジオ放送を利用して録音データを取得したとき、属性情報データベース３５２に対し、当該取得した録音データに対応する録音属性情報を第２の並びの順番で登録し、ダウンロードデータに対応するデータ名称の表示が要求されると、ダウンロード属性情報に含まれるデータ名称を、属性情報データベース３５２に対する当該ダウンロード属性情報の登録時の第２の並びの順番で抽出し第１の並びの順番に並べ替えた状態で表示し、録音データに対応するデータ名称の表示が要求されると、録音属性情報に含まれるデータ名称を、属性情報データベース３５２に対する当該録音属性情報の登録時の第２の並びの順番で表示するようにしたことにより、上述した第１の実施の形態と同様の効果を得ることができる。
【０２２４】
またクライアント端末３５０は、属性情報データベース３５２に対しダウンロード属性情報及び録音属性情報を登録する際に、当該ダウンロード属性情報及び録音属性情報を両方共に第２の並びの順番で登録することで、当該ダウンロード属性情報及び録音属性情報を登録する際にそれぞれの処理の手法を替えることなく、これらダウンロード属性情報及び録音属性情報を何ら区別することなく扱って同一の処理手法で処理することができる。従ってクライアント端末３５０は、ダウンロードデータ及び録音データの取得に応じてダウンロード属性情報及び録音属性情報を登録する際に処理負荷が増大することを回避することができる。
【０２２５】
〔３〕他の実施の形態
なお上述第２の実施の形態においては、属性情報データベース３５２に対しダウンロード属性情報及び録音属性情報を共に第２の並びの順番で登録し、ダウンロードデータに対応するデータ名称の表示が要求されたときに、当該ダウンロードデータに対応するデータ名称の登録時の第２の並びの順番を第１の並びの順番に並び替えるようにした場合について述べたが、本発明はこれに限らず、属性情報データベース３５２に対しダウンロード属性情報及び録音属性情報を共に第１の並びの順番で登録し、録音データに対応するデータ名称の表示が要求されたときに、当該録音データに対応するデータ名称の登録時の第１の並びの順番を第２の並びの順番に並び替えるようにしても良い。このようにしても上述した第２の実施の形態と同様の効果を得ることができる。
【０２２６】
また上述の第１及び第２の実施の形態においては、ダウンロードデータとしてのシングル曲単位の音楽データ及びアルバム単位の音楽データに対応する曲名及びアルバム名を個別に表示するようにした場合について述べたが、本発明はこれに限らず、ダウンロードデータとしてのシングル曲単位の音楽データ及びアルバム単位の音楽データに対応する同一の並びの曲名及びアルバム名を一括して表示するようにしても良い。これに加えて上述した第１及び第２の実施の形態においては、録音データとしてのリッピングで取得した音楽データやラジオ放送で取得したラジオ番組データ及び音楽データに対応する同一の並びのアルバム名、番組名及び曲名を一括して表示するようにした場合について述べたが、本発明はこれに限らず、これら録音データとしてのリッピングで取得した音楽データやラジオ放送で取得したラジオ番組データ及び音楽データに対応するアルバム名、番組名及び曲名をそれぞれ個別又はリッピング及びラジオ放送で分離して表示するようにしても良い。
【０２２７】
さらに上述の第１及び第２の実施の形態においては、音楽データのリッピング時に対応するリッピング属性情報をディスク情報提供サーバＳＶ５から取得するようにした場合について述べたが、本発明はこれに限らず、ＣＤに予め音楽データと共に属性情報も記録しておき、当該ＣＤから音楽データ及び属性情報をコンテンツデータとして取り込むようにしても良い。またラジオ放送を録音する場合にも、ラジオ局からラジオ放送波の一部として放送番組属性情報及び放送楽曲属性情報も放送し、ラジオ番組データ及び音楽データと共に対応する放送番組属性情報及び放送楽曲属性情報をラジオ放送波としての放送コンテンツデータとして取り込むようにしても良い。
【０２２８】
さらに上述の第１及び第２の実施の形態においては、第１及び第２の並びの順番のデータ名称をアルバムリスト表示画面３１０、シングルリスト表示画面３１１及び録音リスト表示画面３１９において上下に並べて表示するようにした場合について述べたが、本発明はこれに限らず、それぞれ左右に並べて表示し、又はデータの種別毎に並べる向きを替えて（すなわち、上下と左右）表示するようにしても良い。
【０２２９】
さらに上述の第１及び第２の実施の形態においては、本発明による表示装置を、図１乃至図３５について上述したクライアント端末２及び３５０に適用するようにした場合について述べたが、本発明はこれに限らず、それぞれ異なる提供元からコンテンツデータを取り込むことのできるパーソナルコンピュータや携帯電話機、ＰＤＡ（Personal Digital Assistance ）、ゲーム機器、コンパクトディスクプレーヤ、ＤＶＤ（Digital Versatile Disc）プレーヤ、ハードディスクレコーダ等の情報処理装置、またテレビジョン受像機等のように、要は、種別の異なるコンテンツデータを表示し得るものであれば、この他種々の表示装置に広く適用することができる。
【０２３０】
すなわち上述の第１及び第２の実施の形態においては、ハードウェア回路ブロック、機能回路ブロック及びプログラムモジュールをクライアント端末２及び３５０に実装した場合について述べたが、本発明はこれに限らず、これらを携帯電話機やパーソナルコンピュータ等、クライアント端末２及び３５０以外の種々の端末に実装するようにしても良く、これらハードウェア回路ブロック、機能回路ブロック及びプログラムモジュールを実装した端末であれば、上述したクライアント端末２及び３５０と同様の処理を実現することができる。
【０２３１】
さらに上述の第１及び第２の実施の形態においては、本発明による表示プログラムを、クライアント端末２及び３５０のＲＯＭ２０４に予め記憶している図１６について上述したデータベースアクセスモジュール２４９及びオーディオユーザインタフェース２５３に適用し、当該クライアント端末２及び３５０のＣＰＵ２０３及び３５１がそのデータベースアクセスモジュール２４９及びオーディオユーザインタフェース２５３に従って上述した第１及び第２の属性情報登録処理手順ＲＴ１及びＲＴ３並びに第１及び第２のリスト表示処理手順ＲＴ２及びＲＴ４を実行するようにした場合について述べたが、本発明はこれに限らず、この他種々の構成の表示プログラムを適用し、その表示プログラムが格納されたプログラム格納媒体をクライアント端末２及び３５０にインストールすることにより第１及び第２の属性情報登録処理手順ＲＴ１及びＲＴ３並びに第１及び第２のリスト表示処理手順ＲＴ２及びＲＴ４を実行するようにしても良い。
【０２３２】
さらに上述の第１及び第２の実施の形態においては、クライアント端末２及び３５０が受信可能な放送としてラジオ局から放送されるラジオ放送を適用するようにした場合について述べたが、本発明はこれに限らず、クライアント端末２及び３５０がテレビジョン用の放送局から放送されるテレビジョン放送を受信し、そのテレビジョン放送のテレビジョン番組に関する各種放送情報（すなわち、属性情報）等をネットワークＮＴ上のサーバから取得することも可能である。
【０２３３】
さらに上述の第１及び第２の実施の形態においては、第１の提供元から取得された第１のコンテンツデータ及び第２の提供元から取得された第２のコンテンツデータとして、図１乃至図３５について上述した音楽データ配信サーバＳＶ１から取得されたダウンロードコンテンツデータ及びＣＤやラジオ放送局から取得された音楽データ及びラジオ番組データを適用するようにした場合について述べたが、本発明はこれに限らず、第１及び第２の提供元として、互いに異なるＣＤ−ＲＯＭ等の光ディスクのような記録媒体、通信相手の端末装置、自己の装置におけるキーボード等の操作入力部、サーバ装置、テレビジョン用の放送局等を適用し、これら第１及び第２の提供元から取得される第１及び第２のコンテンツデータとしては、互いに種別の異なるゲームプログラム、写真及び動画像等の画像データ、テキストデータ、テレビジョン放送の番組データ、電子メール用の送信データ及び受信データ等のコンテンツデータを広く適用することができる。因みに第１及び第２のコンテンツデータとして、電子メール用の送信データ及び受信データを適用する場合には、当該送信データ及び受信データの一方を第１の並びの順番で表示し、他方を第２の並びの順番で表示することができる。
【０２３４】
さらに上述の第１及び第２の実施の形態においては、予め設定された設定情報に応じて、第１の提供元から取得されたコンテンツデータを第１の並びの順番で表示し、設定情報に応じて、第２の提供元から取得された第２のコンテンツデータを第２の並びの順番で表示する表示手段として、図１乃至図３５について上述したクライアント端末２及び３５０のＣＰＵ２０３及び３５１、表示処理部２０７、ディスプレイ２０６を適用するようにした場合について述べたが、本発明はこれに限らず、予め設定された設定情報に応じて、第１の提供元から取得されたコンテンツデータを第１の並びの順番で表示し、設定情報に応じて、第２の提供元から取得された第２のコンテンツデータを第２の並びの順番で表示するハードウェア回路構成の表示処理回路及び表示回路等のように、この他種々の表示手段を広く適用することができる。
【０２３５】
さらに上述の第１及び第２の実施の形態においては、第１及び第２の並びの順番で表示する第１及び第２のコンテンツデータとして、図１乃至図３５について上述したデータ名称を適用するようにした場合について述べたが、本発明はこれに限らず、コンテンツデータとしての画像データや番組データ自体の一部や、コンテンツデータとしの音楽データ、テキストデータ、プログラムデータに対して予め対応付けられたパッケージ画像、コンテンツデータとしての電子メール用の送信データ及び受信データに添付された画像等のように、コンテンツデータの一部及び対応付けられた他のデータ等、この他種々のデータを広く適用することができる。
【産業上の利用可能性】
【０２３６】
本発明は、パーソナルコンピュータやデータ記録再生装置等でコンテンツデータを表示する表示方法に利用することができる。
【図面の簡単な説明】
【０２３７】
【図１】本発明における音楽関連サービス提供システムの全体構成の一実施の形態を示す略線図である。
【図２】クライアント端末の機能回路ブロックによるハードウェア構成を示すブロック図である。
【図３】ディレクトリ構成を示す略線図である。
【図４】ポータルサーバの機能回路ブロックによるハードウェア構成を示すブロック図である。
【図５】音楽データ配信サーバの機能回路ブロックによるハードウェア構成を示すブロック図である。
【図６】物販サーバの機能回路ブロックによるハードウェア構成を示すブロック図である。
【図７】ラジオ放送情報配信サーバの機能回路ブロックによるハードウェア構成を示すブロック図である。
【図８】ディスク情報提供サーバの機能回路ブロックによるハードウェア構成を示すブロック図である。
【図９】クライアント端末及びポータルサーバ間のユーザ認証処理手順を示すシーケンスチャートである。
【図１０】クライアント端末及び音楽データ配信サーバ間のユーザ認証処理手順を示すシーケンスチャートである。
【図１１】音楽データ配信サービス提供処理手順を示すシーケンスチャートである。
【図１２】物販サービス提供処理手順を示すシーケンスチャートである。
【図１３】ラジオ放送情報（オンエアリスト情報）配信サービス提供処理手順（１）を示すシーケンスチャートである。
【図１４】ラジオ放送情報（ナウオンエア情報）配信サービス提供処理手順（２）を示すシーケンスチャートである。
【図１５】クライアント端末のハードウェア回路ブロックによるハードウェア構成を示すブロック図である。
【図１６】クライアント端末のプログラムモジュールを示す略線図である。
【図１７】属性情報の登録の説明（１）に供する略線図である。
【図１８】属性情報の登録の説明（２）に供する略線図である。
【図１９】属性情報データベースの構成を示す略線図である。
【図２０】取得したダウンロードデータ及び録音データの階層表示の説明に供する略線図である。
【図２１】属性情報の選択の説明に供する略線図である。
【図２２】アルバムリスト表示画面の構成（１）を示す略線図である。
【図２３】アルバムリスト表示画面の構成（２）を示す略線図である。
【図２４】シングルリスト表示画面の構成（１）を示す略線図である。
【図２５】シングルリスト表示画面の構成（２）を示す略線図である。
【図２６】録音リスト表示画面の構成（１）を示す略線図である。
【図２７】録音リスト表示画面の構成（２）を示す略線図である。
【図２８】第１の属性情報登録処理手順を示すフローチャートである。
【図２９】第１のリスト表示処理手順を示すフローチャートである。
【図３０】第２の実施の形態によるクライアント端末のハードウェア回路ブロックによるハードウェア構成を示すブロック図である。
【図３１】属性情報の登録の説明に供する略線図である。
【図３２】属性情報データベースの構成を示す略線図である。
【図３３】属性情報の選択の説明に供する略線図である。
【図３４】第２の属性情報登録処理手順を示すフローチャートである。
【図３５】第２のリスト表示処理手順を示すフローチャートである。
【符号の説明】
【０２３８】
２、３５０……クライアント端末、２３……制御部、２４……表示制御部、２５……表示部、２８……外部記録媒体記録再生部、２９……記憶媒体、３０……放送信号受信部、３１……チューナ部、３２……通信制御部、３３、２１５……ネットワークインタフェース、２０３、３５１……ＣＰＵ、２０６……ディスプレイ、２０７……表示処理部、２０８……メディアドライブ、２１１……ハードディスクドライブ、２１２……アンテナ、２１３……チューナ、２１４……通信処理部、２４９……データベースアクセスモジュール、２５３……オーディオユーザインタフェース、３００、３５２……属性情報データベース、３０７……第２のディレクトリ提示画面、３１０……アルバムリスト表示画面、３１１……シングルリスト表示画面、３１８……第３のディレクトリ提示画面、３１９……録音リスト表示画面、ＲＴ１……第１の属性情報登録処理手順、ＲＴ２……第１のリスト表示処理手順、ＲＴ３……第２の属性情報登録処理手順、ＲＴ４……第２のリスト表示処理手順。
【図１】
2006221257.tif 000003
【図２】
2006221257.tif 000004
【図３】
2006221257.tif 000005
【図４】
2006221257.tif 000006
【図５】
2006221257.tif 000007
【図６】
2006221257.tif 000008
【図７】
2006221257.tif 000009
【図８】
2006221257.tif 000010
【図９】
2006221257.tif 000011
【図１０】
2006221257.tif 000012
【図１１】
2006221257.tif 000013
【図１２】
2006221257.tif 000014
【図１３】
2006221257.tif 000015
【図１４】
2006221257.tif 000016
【図１５】
2006221257.tif 000017
【図１６】
2006221257.tif 000018
【図１７】
2006221257.tif 000019
【図１８】
2006221257.tif 000020
【図１９】
2006221257.tif 000021
【図２０】
2006221257.tif 000022
【図２１】
2006221257.tif 000023
【図２２】
2006221257.tif 000024
【図２３】
2006221257.tif 000025
【図２４】
2006221257.tif 000026
【図２５】
2006221257.tif 000027
【図２６】
2006221257.tif 000028
【図２７】
2006221257.tif 000029
【図２８】
2006221257.tif 000030
【図２９】
2006221257.tif 000031
【図３０】
2006221257.tif 000032
【図３１】
2006221257.tif 000033
【図３２】
2006221257.tif 000034
【図３３】
2006221257.tif 000035
【図３４】
2006221257.tif 000036
【図３５】
2006221257.tif 000037